(57)【要約】【課題】広い視野角、特に垂直方向の視野角の確保が実現された虚像表示装置用のライトガイドを提供する。【解決手段】ライトガイドは、画像光が入射される光線入射部と画像光を外部に射出するための光線射出部１０４とを備えた導光部材１００を有し、導光部材１００は、光線入射部から入射し該導光部材内を導光する画像光の進行方向を光線入射部の方向に反転させる複数の面を備えた再帰反射部と、該導光部材内を進行する画像光を光線射出部１０４に導光して取り出すための画像取り出し部１０３とを備える。画像取り出し部１０３は、再帰反射部と対向し、光線射出部１０４に対して傾斜する画像取り出し面１０３ａと、画像取り出し面１０３ａに連続し光線射出部１０４に平行な第２面１０３ｂと、をそれぞれ複数有し、第２面１０３ｂは同一平面上に複数設けられている。【選択図】図６
2017198962.tif 000002
【特許請求の範囲】
【請求項１】
画像表示素子からの画像光を導光して虚像を表示するために射出する虚像表示装置用のライトガイドであって、
前記画像光が入射される光線入射部と前記画像光を外部に射出するための光線射出部とを備えた導光部材を有し、
前記導光部材は、前記光線入射部から入射し該導光部材内を導光する画像光の進行方向を前記光線入射部の方向に反転させる複数の面を備えた再帰反射部と、該導光部材内を進行する画像光を前記光線射出部に導光して取り出すための画像取り出し部とを備え、
前記画像取り出し部は、前記再帰反射部と対向し前記光線射出部に対して傾斜する画像取り出し面と、前記画像取り出し面に連続し前記光線射出部に平行な第２面と、をそれぞれ複数有し、前記第２面は同一平面上に複数設けられていることを特徴とするライトガイド。
【請求項２】
前記再帰反射部は、
複数の頂点を有する多面形状を呈し、
前記多面形状の頂部からスリット状に伸びる第１の隙間を備える請求項１記載のライトガイド。
【請求項３】
前記再帰反射部は、
前記多面形状の凹部からスリット状に伸びる第２の隙間をさらに備える請求項２記載のライトガイド。
【請求項４】
前記再帰反射部は、前記導光部材の一側面に設けられている請求項１乃至３のいずれかに記載のライトガイド。
【請求項５】
前記再帰反射部は、前記頂点の部位を頂角とするプリズムが並列してなる請求項２乃至４のいずれかに記載のライトガイド。
【請求項６】
前記再帰反射部は、前記頂点の部位を頂角とする直角プリズムが並列してなる請求項２乃至４のいずれかに記載のライトガイド。
【請求項７】
前記第１及び第２の隙間は、前記光線入射部に向かって伸びる請求項３に記載のライトガイド。
【請求項８】
前記第１の隙間には、前記導光部材の屈折率と実質的に同一の屈折率の部材が配置されている請求項２乃至７のいずれかに記載のライトガイド。
【請求項９】
前記第２の隙間には、前記導光部材の屈折率と実質的に同一の屈折率の部材が配置されている請求項３に記載のライトガイド。
【請求項１０】
前記部材は液体である請求項８又は９に記載のライトガイド。
【請求項１１】
前記画像取り出し部は、前記画像取り出し面と傾斜の向きを逆にして対向配置されている対向面をさらに含む請求項１乃至１０のいずれかに記載のライトガイド。
【請求項１２】
画像表示素子からの画像光を導光して虚像を表示するために射出する虚像表示装置用のライトガイドであって、
前記画像光が入射される光線入射部と前記画像光を外部に射出するための光線射出部とを備えた導光部材を有し、
前記導光部材は、前記光線入射部から入射し該導光部材内を導光する画像光の進行方向を前記光線入射部の方向に反転させる反転領域と、該導光部材内を進行する画像光を前記光線射出部に導光して取り出すための画像取り出し部とを備え、
前記画像取り出し部は、前記反転領域と対向し前記光線射出部に対して傾斜する画像取り出し面と、前記画像取り出し面に連続し前記光線射出部に平行な第２面と、をそれぞれ複数有し、前記第２面は同一平面上に複数設けられていることを特徴とするライトガイド。
【請求項１３】
前記反転領域は、波動光学的な微細構造面からなる請求項１２記載のライトガイド。
【請求項１４】
前記微細構造面は、ホログラムからなる請求項１３記載のライトガイド。
【請求項１５】
前記微細構造面は、回折面からなる請求項１３記載のライトガイド。
【請求項１６】
前記画像取り出し部は、前記画像取り出し面と傾斜の向きを逆にして対向配置される対向面をさらに有する請求項１乃至１５のいずれかに記載のライトガイド。
【請求項１７】
前記画像取り出し部は、前記画像取り出し面および前記対向面との間に位置して前記光線射出部に平行な第４面をさらに有する請求項１６記載のライトガイド。
【請求項１８】
前記画像取り出し部は、反射率が１０％以上のコートを有する請求項１乃至１７のいずれかに記載のライトガイド。
【請求項１９】
前記導光部材に一体的に設けられている光学部材をさらに有し、
前記光学部材は、前記導光部材との対向面の反対側の面に、前記導光部材の前記光線射出部と平行な面を備えている請求項１乃至１８のいずれかに記載のライトガイド。
【請求項２０】
前記画像取り出し部および前記対向面は、前記第２面から陥没している請求項１６または１７記載のライトガイド。
【請求項２１】
前記画像取り出し部および前記対向面は、前記第２面から突出している請求項１６または１７記載のライトガイド。
【請求項２２】
照明光を射出する光源と、前記光源からの照明光を受けて虚像表示のための表示画像の画像光を出力する画像表示素子と、前記画像表示素子からの画像光をコリメートして射出するコリメート光学系と、前記コリメート光学系からの画像光を導光して射出するライトガイドと、を虚像表示光学系として備えた虚像表示装置であって、
前記虚像表示光学系として、請求項１乃至２２のいずれかに記載のライトガイドを用いた虚像表示装置。
【請求項２３】
画像光が入射される光線入射部と前記画像光を外部に射出するための光線射出部とを備えた導光部材であって、
前記光線入射部から入射し該導光部材内を導光する画像光の進行方向を前記光線入射部の方向に反転させる反転領域と、該導光部材内を進行する画像光を前記光線射出部に導光して取り出すための画像取り出し部とを備え、
前記画像取り出し部は、前記反転領域と対向し前記光線射出部に対して傾斜する画像取り出し面と、前記画像取り出し面に連続し前記光線射出部に平行な第２面と、をそれぞれ複数有し、前記第２面は同一平面上に複数設けられていることを特徴とする導光部材。
【発明の詳細な説明】
【技術分野】
【０００１】
本発明は、ライトガイド、このライトガイドを用いた虚像表示装置及び導光部材に関する。
【背景技術】
【０００２】
２次元の画像を虚像光学系により拡大し、拡大された虚像を観察者に観察させるように表示する装置として、ライトガイドを用いた虚像表示装置が知られている。かかる虚像表示装置で用いられるライトガイドの一形態として、近年、ヘッドマウントディスプレイ（Ｈｅａｄ  Ｍｏｕｎｔｅｄ  Ｄｉｓｐｌａｙ、以下「ＨＭＤ」と称する。）が普及し始めている。ＨＭＤは、シースルーである透過型と非透過型に分類される。透過型のＨＭＤは、例えばＧｏｏｇｌｅ ＬＴＤ．（米国）のＧｏｏｇｌｅｇｌａｓｓ（商標登録）がある。
【０００３】
透過型のＨＭＤは、情報端末と組み合わせて使用し、あるいはＡＲ（Augmented Reality：拡張現実）等の提供用として使用するため、小型で携帯性が良いものが望まれている。非透過型のＨＭＤは、映画鑑賞やゲームやＶＲ（Virtual Reality：仮想現実）等の提供用として使用するため、没入感が得られる広視野角であることが望まれている。
【０００４】
近年、透過型のものにおいても、ユーザーニーズから、薄肉、小型、かつ、広視野角であることが要請されるようになり、かかる要請を考慮したものとして、例えば特許文献１乃至３が知られている。
【０００５】
特許文献１の装置は、ある特定の反射率のコートを施した幾つものミラーを配置し、光線の入射角度によって、光線の反射と透過を振り分けて、画像光を取り出す方式としている。
【０００６】
特許文献２の装置は、ライトガイドの一つの側面に微細構造体と隙間ゾーンを設け、これらの部分で光線を反射、伝播させることで、画像光を取り出す方式としている。
【０００７】
特許文献３の装置は、互いに対向して延びる第１及び第２の全反射面を有し、導光部の内側に向かって傾斜して延びる複数の第一要素面と、第一要素面に対して鈍角をなして延びる複数の第二要素面とを交互に配置してなる導光板を用いた方式としている。
【０００８】
これらの方式の装置では、コリメート光学系を介してライトガイド内に取り込まれた光線は、導光板内の垂直視野方向において広がって伝播する。このため、広い視野角を達成しようとすると、ライトガイド内に設けた複数のミラーあるいはライトガイドの側面の微細構造では、上手く光を取り出すことが難しく、特に垂直方向の視野が確保できない問題があった。
【発明の概要】
【発明が解決しようとする課題】
【０００９】
本発明は、虚像表示装置用のライトガイドの広い視野角、特に垂直方向の視野角を確保することを主たる目的とする。
【課題を解決するための手段】
【００１０】
本発明は、画像表示素子からの画像光を導光して虚像を表示するために射出する虚像表示装置用のライトガイドであって、前記画像光が入射される光線入射部と前記画像光を外部に射出するための光線射出部とを備えた導光部材を有し、前記導光部材は、前記光線入射部から入射し該導光部材内を導光する画像光の進行方向を前記光線入射部の方向に反転させる複数の面を備えた再帰反射部と、該導光部材内を進行する画像光を前記光線射出部に導光して取り出すための画像取り出し部とを備え、前記画像取り出し部は、前記再帰反射部と対向し、前記光線射出部に対して傾斜する画像取り出し面と、前記画像取り出し面に連続し前記光線射出部に平行な第２面と、をそれぞれ複数有し、前記第２面は同一平面上に複数設けられていることを最も主要な特徴とする。
【発明の効果】
【００１１】
本発明によれば、虚像表示装置用のライトガイドの広い視野角が実現され、特に垂直方向の視野角が確保される。
【図面の簡単な説明】
【００１２】
【図１】本発明に係るライトガイドの実施形態を示す平面図である。
【図２】図１のライトガイドの導光部材の斜視図である。
【図３】ライトガイドの導光部材の前面図である。
【図４】導光部材における光線入射部を説明するための部分拡大平面図である。
【図５】導光部材における再帰反射部を説明するための部分拡大前面図である。
【図６】導光部材の画像取り出し部の第１実施形態を示す部分拡大平面図である。
【図７】導光部材の画像取り出し部の第２実施形態を示す部分拡大平面図である。
【図８】導光部材の画像取り出し部の第３実施形態を示す部分拡大平面図である。
【図９】導光部材の画像取り出し部の第４実施形態を示す部分拡大平面図である。
【図１０】実施例１を説明する図であり、図６の導光部材をライトガイドとして用いた虚像表示装置の平面図である。
【図１１】実施例１の変形例を説明する図であり、図６の導光部材に図１の光学部材を付加したライトガイドを用いた虚像表示装置の平面図である。
【図１２】実施例１の他の変形例を説明する図であり、図６の導光部材に他の構成の光学部材を付加したライトガイドを用いた虚像表示装置の平面図である。
【図１３】実施例１のさらに他の変形例を説明する図であり、図６の導光部材にさらに他の構成の光学部材を付加したライトガイドを用いた虚像表示装置の平面図である。
【図１４】実施例２を説明する図であり、図７の導光部材をライトガイドとして用いた虚像表示装置の平面図である。
【図１５】実施例２の変形例を説明する図であり、図７の導光部材に図１の光学部材を付加したライトガイドを用いた虚像表示装置の平面図である。
【図１６】実施例２の他の変形例を説明する図であり、図７の導光部材に他の構成の光学部材を付加したライトガイドを用いた虚像表示装置の平面図である。
【図１７】実施例２のさらに他の変形例を説明する図であり、図７の導光部材にさらに他の構成の光学部材を付加したライトガイドを用いた虚像表示装置の平面図である。
【図１８】実施例３を説明する図であり、図８の導光部材をライトガイドとして用いた虚像表示装置の平面図である。
【図１９】実施例３の変形例を説明する図であり、図８の導光部材に図１の光学部材を付加したライトガイドを用いた虚像表示装置の平面図である。
【図２０】実施例３の他の変形例を説明する図であり、図８の導光部材に他の構成の光学部材を付加したライトガイドを用いた虚像表示装置の平面図である。
【図２１】実施例３のさらに他の変形例を説明する図であり、図８の導光部材にさらに他の構成の光学部材を付加したライトガイドを用いた虚像表示装置の平面図である。
【図２２】実施例４を説明する図であり、図９の導光部材をライトガイドとして用いた虚像表示装置の平面図である。
【図２３】実施例４の変形例を説明する図であり、図９の導光部材に図１の光学部材を付加したライトガイドを用いた虚像表示装置の平面図である。
【図２４】実施例４の他の変形例を説明する図であり、図９の導光部材に他の構成の光学部材を付加したライトガイドを用いた虚像表示装置の平面図である。
【図２５】実施例４のさらに他の変形例を説明する図であり、図９の導光部材にさらに他の構成の光学部材を付加したライトガイドを用いた虚像表示装置の平面図である。
【図２６】画像表示素子からの画像光を導光部材の光線入射部から取り込む光路を説明するための部分拡大平面図である。
【図２７】導光部材の再帰反射部での画像光の反射状態を説明するための部分拡大前面図である。
【図２８】図６の導光部材での画像光の導光を説明するための部分拡大平面図である。
【図２９】図７の導光部材での画像光の導光を説明するための部分拡大平面図である。
【図３０】図８の導光部材での画像光の導光を説明するための部分拡大平面図である。
【図３１】図９の導光部材での画像光の導光を説明するための部分拡大平面図である。
【図３２】ライトガイドを用いた虚像表示装置の光路を示す平面図である。
【図３３】ライトガイドの他の実施の形態を説明するための導光部材の前面図である。
【図３４】図３３の導光部材の再帰反射部を説明するための部分拡大前面図である。
【図３５】図３３の導光部材の再帰反射部を説明するための部分拡大前面図である。
【図３６】図３３の導光部材の再帰反射部での光の反射状態を説明するための部分拡大前面図である。
【図３７】図３３の導光部材の再帰反射部での光の反射状態を説明するための部分拡大前面図である。
【図３８】図３３の導光部材の再帰反射部での光の反射状態を説明するための部分拡大前面図である。
【図３９】図３３の導光部材の再帰反射部のプリズムの頂角の角度調整を説明するための部分拡大前面図であり、（ａ）は調整前の状態、（ｂ）は調整中の状態をそれぞれ示す。
【図４０】図３３の導光部材の再帰反射部のプリズムの頂角の角度調整を説明するための部分拡大前面図である。
【図４１】図３３の導光部材の再帰反射部の変形例を示す部分拡大前面図である。
【図４２】虚像表示装置の他の変形例を示す図である。
【図４３】虚像表示装置のさらに他の変形例を示す図である。
【図４４】本発明に係るライトガイドのさらに他の実施形態を示す平面図である。
【図４５】図４４に示す実施例の導光部材を示す斜視図である。
【図４６】図４４の導光部材の前面図である。
【図４７】図４４の導光部材の波動光学的な微細構造面を拡大して示す前面図である。
【発明を実施するための形態】
【００１３】
以下、図面を参照して本発明を適用した実施形態を説明する。以下の実施形態は、透過型のライトガイド及びこれを用いた虚像表示装置に関する。
【００１４】
（ライトガイドの実施形態）
図１に一実施形態のライトガイド５０を示し、かかるライトガイド５０を虚像表示光学系の光路上に配置した虚像表示装置の構成を図３２に示す。図３２では、虚像表示装置における虚像表示光学系の光路を示すとともに、装置のユーザすなわち虚像観察者の目を模式的に描いている。また、図３２では、後述する光学部材２００及び光源ＬＳの図示を省略している。以下、ライトガイド５０の面に関し、観察者から見て手前側（図１及び図３２において下側）の面を「後面」とし、奥側（図１及び図３２において上側）の面を「前面」として説明する。
【００１５】
ライトガイド５０は、画像表示素子からの画像光を内部に入射及び導光して虚像表示のために射出する素子であり、図１に示す実施形態では、導光部材１００と光学部材２００とが一体的に設けられることで、全体が略角柱状の外形を呈する。
【００１６】
ライトガイド５０の導光部材１００の斜視図を図２に示し、導光部材１００の前面図を図３に示す。導光部材１００は、前面側から見た形状が長方形の板状で、画像表示素子からの画像光を内部に取り込んで導光し、虚像表示のために外部に射出する役割を有する。このため、導光部材１００は、画像光を内部に入射する光線入射部１０１、入射した画像光を反射して内部に導光させるための前面及び後面、導光した画像光を取り出して外部に射出させるための光線射出部１０４を備える。さらに、導光部材１００は、光線入射部１０１から入射し導光部材内を導光する画像光の進行方向を反転させる再帰反射部１０６と、導光部材１００内を進行する画像光を光線射出部１０４に導光して取り出すための画像取り出し部１０３と、を備える。
【００１７】
ライトガイド５０は、導光部材１００の前面に画像取り出し部１０３が、導光部材１００の後面に光線射出部１０４が、それぞれ設けられている。画像取り出し部１０３は、導光部材１００内に導光される画像光を光線射出部１０４に向けて反射させる役割を有し、光線射出部１０４は、画像取り出し部１０３から導かれた画像光を虚像観察者の目に向けて外部に射出させる役割を有する。画像取り出し部１０３は、再帰反射部１０６で反転された画像光を光線射出部１０４に導光する画像取り出し面を備えており、その詳しい構成については後述する。
【００１８】
導光部材１００の前面のうち画像取り出し部１０３が設けられていない領域は、入射した画像光を全反射して進行させるための全反射面１０２である。シースルー性を良好にするために、導光部材１００の全反射面１０２と後面は、それぞれ平面であり、互いに平行に形成されている。
【００１９】
再帰反射部１０６は、光線入射部１０１とは反対側の端面に形成されており、詳細な構成については後述する。再帰反射部１０６は、光線入射部１０１から入射し導光部材内１００を導光する画像光の進行方向を光線入射部１０１の方に向かって反転させる反転領域を構成している。画像光の反転領域は、前記再帰反射部１０６で構成してもよいし、後で説明する波動光学的な微細構造面で構成してもよい。
【００２０】
導光部材１００の光線入射部１０１を図４に拡大して示す。光線入射部１０１は、導光部材１００の後面から連続して設けられており、画像光の入射面積をより広く確保するために、導光部材１００の前面から突起した形状となっている。
【００２１】
次に、導光部材１００に設けられている再帰反射部１０６の詳細を説明する。
【００２２】
図１に示すように、再帰反射部１０６は、光線射出部１０４に対して垂直な面となる導光部材１００の一側面、具体的には光線入射部１０１から最も離れた光線入射部１０１とは反対側の端面に設けられている。この再帰反射部１０６は、図２及び図３に示すように、多数の面で構成されている。言い換えると、光線入射部１０１とは反対側の端面は、平面ではなく、再帰反射部１０６としての多数の面が形成されている。
【００２３】
図５に再帰反射部１０６の構成を抽出して示す。図５中、導光部材１００の長手方向に沿う側面１０７に平行な面を点線で示している。図５に示すように、再帰反射部１０６は、光線入射部１０１に連続する導光部材１００の一の側面１０７に対して角度θｓで傾斜する第１傾斜面１０６ａと、第１傾斜面１０６ａに対して角度θpで傾斜する第２傾斜面１０６ｂと、が連続して形成される。そして、第１傾斜面１０６ａ及び第２傾斜面１０６ｂにより、一つのプリズムが構成される。言い換えると、再帰反射部１０６は、光線入射部１０１とは反対側の端面上に複数の屋根形のプリズムが連続して設けられてなる構成である。第１傾斜面１０６ａと第２傾斜面１０６ｂとは、互いに略等しい形状と面積を有する平面である。
【００２４】
本実施形態において、側面１０７と第１傾斜面１０６ａとのなす角θｓは、１３５度である。また、第１傾斜面１０６ａと第２傾斜面１０６ｂのなす角θpは、プリズムの頂角であり、本実施形態では９０度に形成されている。したがって、再帰反射部１０６は、頂角が９０度である多数個のプリズムで構成されている。本実施形態では、再帰反射部１０６は、側面１０７に対して垂直配置しているが、変形例としては、プリズムの頂角９０°が保たれていれば、再帰反射部１０６は側面１０７に対して傾斜していても構わない。
【００２５】
再帰反射部１０６に到達した画像光を良好に反射させるため、再帰反射部１０６すなわち第１傾斜面１０６ａ及び第２傾斜面１０６ｂに反射率の高いコートを設けることが好ましい。かかるコートの反射率は、７０％以上であることが望ましい。
【００２６】
上述のように、本実施形態では、光線射出部１０４に対して垂直な側面の内の一つ、すなわち光線入射部１０１とは反対側の端面上に再帰反射部１０６を形成している。他の例として、光線射出部１０４に対して垂直な面である他の側面１０７、或いはかかる側面１０７に対向する他方の側面１０８にも再帰反射部を設ける構成としてもよい。
【００２７】
また、本実施形態では頂角が９０度であるプリズムで再帰反射部１０６を形成したが、他の例として、ビーズ状や三角錐形状のプリズムで再帰反射部１０６を形成することもできる。
【００２８】
以下、導光部材１００における画像取り出し部１０３の構成について説明する。
【００２９】
画像取り出し部１０３の構成は、図６乃至図９に示すように種々の形状とすることができる。以下、図６乃至図９に示す形態をそれぞれ第１乃至第４の実施形態（画像取り出し部１０３、１０３Ａ乃至１０３Ｃ）として説明する。
【００３０】
これら各実施形態において、画像取り出し部（１０３、１０３Ａ〜１０３Ｃ）を構成する各面は、導光部材１００の前面側に形成されており、後述する第２面１０３ｂは同一平面上すなわち導光部材１００の前面上に複数設けられている点で共通する。
【００３１】
また、各実施形態において、画像取り出し部（１０３、１０３Ａ〜１０３Ｃ）は、それぞれ導光部材１００の前面から連続し傾斜する平面である第１面１０３ａと第３面１０３ｃとが、傾斜の向きを逆にして互いに対向するように配置されている点で共通する。さらに、各実施形態において、画像取り出し部は、再帰反射部１０６に向かって、第１面１０３ａと第２面１０３ｂと第３面１０３ｃとがこの順で繰り返し配置されている点で共通する。
【００３２】
以下、第１面１０３ａと第３面１０３ｃが導光部材１００の前面から凹陥して形成されている構成を画像取り出し部の第１及び第２実施形態として説明する。また、第１面１０３ａと第３面１０３ｃが導光部材１００の前面から突起して形成されている構成を画像取り出し部の第３及び第４実施形態として説明する。
【００３３】
（第１実施形態の画像取り出し部）
画像取り出し部１０３の第１実施形態の構成を図６に拡大して示す。画像取り出し部１０３は、傾斜面である第１面１０３ａと、光線射出部１０４に平行な第２面１０３ｂと、傾斜面である第３面１０３ｃと、が反転領域としての再帰反射部１０６（図６において右側）に向かってこの順で繰り返し配置されてなる。図６に示すように、第１実施形態の画像取り出し部１０３は、第１面１０３ａと第３面１０３ｃとで断面がＶ字状の凹陥部を形成している。
【００３４】
第１実施形態において、画像取り出し部１０３の第１面１０３ａは、その一端（図６において上端）が再帰反射部１０６側に位置する第２面１０３ｂと連続し、かかる第２面１０３ｂに対してθaの角度で傾斜する矩形の平面である。第２面１０３ｂは、光線射出部１０４に平行であり、第２面１０３ｂと光線射出部１０４とのなす角θb＝０°である。第１面１０３ａは、光線射出部１０４に対してもθaの傾斜角度を有する。また、第１面１０３ａは、その他端（図６において下端）が光線入射部１０１側（図６において左側）に位置する第３面１０３ｃと連続している。
【００３５】
第１実施形態において、画像取り出し部１０３の第１面１０３ａは、導光部材１００の内部に入射し、再帰反射部１０６で反射した画像光を光線射出部１０４に導いて光線射出部１０４から射出させる画像取り出し面としての役割を担う平面である。第１面１０３ａは、光線射出部１０４に対してθａの傾斜角で傾斜することにより、再帰反射部１０６と対向している。
【００３６】
第２面１０３ｂは、矩形の平面であり、光線入射部１０１側（図６において左側）の一端が第１面１０３ａに連続し、再帰反射部１０６側（図６において右側）の一端が第３面１０３ｃに連続する。第２面１０３ｂと光線射出部１０４との距離は、それぞれの第２面１０３ｂ間において同一である。かかる構成により、加工性及びシースルー性が良好に確保される。
【００３７】
第２面１０３ｂは、入射された画像光を反射させて再帰反射部１０６に導く役割、および再帰反射部１０６で進行方向が反転された画像光を反射させる反射面としての役割を担う。さらに、第２面１０３ｂは、シースルー性を確保するため、ライトガイド５０の前面及び後面からの外部の光を入射させる透過面としての役割も担っている。
【００３８】
第２面１０３ｂを光線射出部１０４に対して傾斜させる、すなわち角度θb≠０°に設定すると、導光部材１００内で導光される画像光が、第２面１０３ｂで反射される反射角と、光線射出部１０４で反射される反射角とで一致せずに変化することになる。この場合、光線入射部１０１から入射される光線と光線入射部１０１の法線とのなす角で定義される入射角θinと、光線射出部１０４から射出される光線と光線射出部１０４の法線とのなす角で定義される射出角θoutとが同角度とならない。さらに、画像光が第１面１０３ａ及び光線射出部１０４を通じてライトガイド５０の外部に射出される際に、異なった方向に射出されてしまい、虚像としては思わしくないものとなってしまう。したがって、各実施形態において、角度θb＝０°とし、第２面１０３ｂを光線射出部１０４に対して平行に形成している。
【００３９】
第３面１０３ｃは、その一端（図６において上端）が光線入射部１０１側（図６において左側）に位置する第２面１０３ｂと連続し、かかる第２面１０３ｂに対してθｃの角度で傾斜する矩形の平面である。上記のように第２面１０３ｂは光線射出部１０４に平行であることから、第３面１０３ｃは、光線射出部１０４に対してもθｃの傾斜角度を有する。また、第３面１０３ｃは、その他端（図６において下端）が再帰反射部１０６側（図６において右側）に位置する第１面１０３ａと連続している。
【００４０】
第１実施形態では、第３面１０３ｃは、光線入射部１０１に対向する向きに形成されており、画像取り出し面としての第１面１０３ａと傾斜の向きを逆にして対向配置される。かかる第３面１０３ｃは、導光部材１００の内部に導光され再帰反射部１０６側に進行する画像光が当たらない位置に設けられることが好ましい（図２８参照）。
【００４１】
また、再帰反射部１０６側に進行する画像光が第３面１０３ｃに当たった場合に当該画像光が迷光とならないように、第３面１０３ｃの傾斜角度θｃが設定されていることが好ましい。例えば、傾斜角θｃは、再帰反射部１０６側に進行する画像光が第３面１０３ｃに当たった場合に当該画像光が導光部材１００の前面から外部に射出される角度に設定されることが好ましい。あるいは、傾斜角θｃは、再帰反射部１０６で反射された画像光が第３面１０３ｃに当たった場合に当該画像光が光線射出部１０４に導かれる角度に設定することもできる。
【００４２】
図６の例では、傾斜角度θａ＝θｃであり、このため、第１面１０３ａと第３面１０３ｃは互いに等しい面積を有している。他方、上述のように、第１面１０３ａと第３面１０３ｃとでは互いに異なる機能を有するため、θａとθｃを互いに異なる角度とすることもできる。
【００４３】
（第２実施形態の画像取り出し部）
画像取り出し部の第２実施形態の構成を図７に拡大して示す。第２実施形態の画像取り出し部１０３Ａは、上述した図６の構成と比較して分かるように、第１実施形態の構成に第４面１０３ｄが付加された構成である。
【００４４】
第２実施形態の画像取り出し部１０３Ａは、傾斜面（画像取り出し面）である第１面１０３ａ、光線射出部１０４に平行な第２面１０３ｂ、傾斜面（対向面）である第３面１０３ｃ、および光線射出部１０４に平行な第４面１０３ｄを備える。そして、画像取り出し部１０３Ａは、第１面１０３ａと、第２面１０３ｂと、第３面１０３ｃと、第４面１０３ｄと、が再帰反射部１０６（図７において右側）に向かってこの順で繰り返し配置された構成である。第２実施形態の画像取り出し部１０３Ａは、第１面１０３ａと第３面１０３ｃと第４面１０３ｄとで断面が台形状の凹陥部を形成している。
【００４５】
第１面１０３ａ、第２面１０３ｂ、および第３面１０３ｃの構成や機能等は、上述した第１実施形態のものと同等であるため、説明を省略する。
【００４６】
第４面１０３ｄは、光線射出部１０４に平行な矩形の平面である。第４面１０３ｄは、その光線入射部１０１側（図７において左側）の一端が第１面１０３ａの一端（図７において下端）に連続し、再帰反射部１０６側（図７において右側）の一端が第３面１０３ｃの一端（図７において下端）に連続する。かかる構成により、導光部材１００の材料容積の軽減や軽量化が図られ、シースルー性を向上させることができる。また、第４面１０３ｄは、上述した第２面１０３ｂと同様に、入射された画像光を反射させて再帰反射部１０６に導く役割、及び再帰反射部１０６で進行方向が反転された画像光を反射させる反射面としての役割を担う（図２９参照）。
【００４７】
図６及び図７に示す各実施形態は、第１面１０３ａ及び第３面１０３ｃが導光部材１００の前面及び第２面１０３ｂから凹陥して溝状に形成され、第１面１０３ａが再帰反射部１０６に対向し、第３面１０３ｃは光線入射部１０１に対向する向きに形成されている。このため、再帰反射部１０６で進行方向が反転した画像光を光線射出部１０４に導く役割を第１面１０３ａが担っており、第１面１０３ａが画像取り出し面として機能する。
【００４８】
これに対して、図８及び図９に示す各実施形態は、第１面１０３ａ及び第３面１０３ｃが導光部材１００の前面及び第２面１０３ｂから突起して山状に形成されている。また、図８及び図９の各実施形態では、第３面１０３ｃが再帰反射部１０６に対向し、第１面１０３ａは光線入射部１０１に対向する向きに形成されている。このため、再帰反射部１０６で進行方向が反転した画像光を光線射出部１０４に導く役割を第３面１０３ｃが担っており、第３面１０３ｃが画像取り出し面として機能する。
【００４９】
（第３実施形態の画像取り出し部）
画像取り出し部１０３の第３実施形態の構成を図８に拡大して示す。図８中、光線射出部１０４に平行な面を点線で表している。第３実施形態の画像取り出し部１０３Ｂは、傾斜面である第１面１０３ａと、光線射出部１０４に平行な第２面１０３ｂと、傾斜面である第３面１０３ｃと、が再帰反射部１０６（図８において右側）に向かってこの順で繰り返し配置された構成である。
【００５０】
第３実施形態において、画像取り出し部１０３Ｂの第１面１０３ａは、その一端（図８において下端）が再帰反射部１０６側に位置する第２面１０３ｂと連続している。第１面１０３ａは、第２面１０３ｂに対してθaの角度で傾斜する矩形の平面である。上記のように、第２面１０３ｂは、光線射出部１０４に平行であり、第２面１０３ｂと光線射出部１０４とのなす角θb＝０°である。したがって、第１面１０３ａは、光線射出部１０４に対してもθaの傾斜角度を有する。また、第１面１０３ａは、その他端（図８において上端）が光線入射部１０１側（図６において左側）に位置する第３面１０３ｃと連続している。
【００５１】
この第３実施形態では、第１面１０３ａは、光線入射部１０１に対向する向きに形成されており、画像取り出し面としての第３面１０３ｃと傾斜の向きを逆にして対向配置される。かかる第１面１０３ａは、導光部材１００の内部に導光され再帰反射部１０６側に進行する画像光が当たらない位置に設けられることが好ましい（図２９参照）。
【００５２】
また、再帰反射部１０６側に進行する画像光が第１面１０３ａに当たった場合に当該画像光が迷光とならないように、第１面１０３ａの傾斜角度θａが設定されていることが好ましい。例えば、傾斜角θａは、再帰反射部１０６側に進行する画像光が第１面１０３ａに当たった場合に当該画像光が導光部材１００の前面から外部に射出される角度に設定するとよい。あるいは、傾斜角θａは、再帰反射部１０６側に進行する画像光が第１面１０３ａに当たった場合に当該画像光が光線射出部１０４に導かれる角度に設定することもできる。
【００５３】
第２面１０３ｂは、矩形の平面であり、光線入射部１０１側（図８において左側）の一端が第１面１０３ａに連続し、再帰反射部１０６側（図８において右側）の一端が第３面１０３ｃに連続する。第２面１０３ｂと光線射出部１０４との距離は、それぞれの第２面１０３ｂ間において同一である。かかる構成により、加工性及びシースルー性が良好に確保される。
【００５４】
第３面１０３ｃは、その一端（図８において下端）が光線入射部１０１側（図８において左側）に位置する第２面１０３ｂと連続し、かかる第２面１０３ｂに対してθｃの角度で傾斜する矩形の平面である。上記のように第２面１０３ｂは光線射出部１０４に平行であることから、第３面１０３ｃは、光線射出部１０４に対してもθｃの傾斜角度を有する。また、第３面１０３ｃは、その他端（図８において上端）が再帰反射部１０６側（図８において右側）に位置する第１面１０３ａと連続している。
【００５５】
第３実施形態では、第３面１０３ｃは、再帰反射部１０６に対向する向きに形成されており、再帰反射部１０６で進行方向が反転した画像光を光線射出部１０４に導く画像取り出し面としての機能を有する。
【００５６】
図８の例では、傾斜角度θａ＝θｃであり、このため、第１面１０３ａと第３面１０３ｃは互いに等しい面積を有している。他方、上述のように、第１面１０３ａと第３面１０３ｃとでは互いに異なる機能を有するため、θａとθｃを互いに異なる角度とすることもできる。
【００５７】
（第４実施形態の画像取り出し部）
画像取り出し部１０３の第４実施形態の構成を図９に拡大して示す。図９中、光線射出部１０４に平行な面を点線で表している。第４実施形態の画像取り出し部１０３Ｃは、上述した図８の構成と比較して分かるように、第３実施形態の構成に第４面１０３ｄが付加された構成である。
【００５８】
すなわち、第４実施形態の画像取り出し部１０３Ｃは、傾斜面（対向面）である第１面１０３ａ、光線射出部１０４に平行な第２面１０３ｂ、傾斜面（画像取り出し面）である第３面１０３ｃ、及び光線射出部１０４に平行な第４面１０３ｄを備える。そして、画像取り出し部１０３Ｃは、第１面１０３ａと、第２面１０３ｂと、第３面１０３ｃと、第４面１０３ｄと、が再帰反射部１０６（図９において右側）に向かってこの順で繰り返し配置された構成である。
【００５９】
第１面１０３ａ、第２面１０３ｂ、及び第３面１０３ｃの構成や機能等は、上述した第３実施形態のものと同等であるため、説明を省略する。
【００６０】
第４面１０３ｄは、光線射出部１０４に平行な矩形の平面である。第４面１０３ｄは、その光線入射部１０１側（図９において左側）の一端が第３面１０３ｃの一端（図９において上端）に連続し、再帰反射部１０６側（図９において右側）の一端が第１面１０３ａの一端（図９において上端）に連続する。
【００６１】
第４実施形態の第４面１０３ｄも、上述した第２面１０３ｂと同様に、入射された画像光を反射させて再帰反射部１０６に導く役割、及び再帰反射部１０６で進行方向が反転された画像光を反射させる反射面としての役割を担う。
【００６２】
（ライトガイドの他の実施形態）
ここまで説明してきたライトガイドの実施形態は、導光部材が、導光部材内を導光する画像光の進行方向を光線入射部の方向に反転させる再帰反射部１０６を有している。再帰反射部１０６は、導光部材１００内を導光する画像光の進行方向を光線入射部１０１の方に向かって反転させる反転領域を構成している。反転領域は、導光部材１００内を導光する画像光の進行方向を光線入射部１０１の方に向かって反転させる機能をもっていればよい。したがって、反転領域を、再帰反射部１０６の代わりに、微細な構造で構成された波動光学的な微細構造面にしてもよい。再帰反射部１０６の複数の面がミリオーダーであるのに対し、波動光学的な微細構造はサブミクロン以下すなわちナノオーダーの凹凸となる。以下に説明するライトガイドの他の実施形態は、波動光学的な微細構造面を備えている例である。
【００６３】
波動光学的な微細構造とは、先述のようにサブミクロン以下すなわちナノオーダーの凹凸でできた微細構造のことである。波動光学的な微細構造面により、光線入射部から入射し導光部材内を導光する画像光の進行方向を光線入射部の方向に向かって反転させることができる。
【００６４】
図４４乃至図４６は、図１乃至図５に示すライトガイド５０の実施形態における導光部材１００の再帰反射部１０６に代わる反転領域として、波動光学的な微細構造からなる面（以下「微細構造面」という）２０６を備えている例を示している。微細構造面２０６以外の構成は図１乃至図５に示す実施形態の構成と同じであり、同じ構成部分には共通の符号を付している。
【００６５】
図４４乃至図４６に示すように、波動光学的な微細構造面２０６は、光線射出部１０４に対して垂直な面となる導光部材１００の一側面、具体的には光線入射部１０１から最も離れた側面である光線入射部１０１とは反対側の端面に設けられている。
【００６６】
図４７に微細構造面２０６を平面方向から見た構成を拡大して示す。光線入射部１０１から最も離れた導光部材１００の側面に微細構造面２０６が配されている。
【００６７】
本実施形態では、微細構造面２０６は、具体的にはホログラム又は回折面で構成され、導光部材１００の側面１０７に対して垂直方向の側面に配置している。変形例として、微細構造面２０６は側面１０７に対して傾斜している面に形成しても構わない。
【００６８】
波動光学的な微細構造面２０６に到達した画像光は、微細構造面２０６において波長選択的に反射され、また透過する。
【００６９】
上述のように、本実施形態では、光線射出部１０４に対して垂直な側面の一つである、光線入射部１０１とは反対側の端面に波動光学的な微細構造面２０６がある。他の例として、光線射出部１０４に対して垂直な面である他の側面１０７、あるいは側面１０７に対向する他方の側面１０８にも微細構造面を設けてもよい。
【００７０】
また、本実施形態では波動光学的な微細構造面２０６の例として、ホログラムまたは回折面を挙げたが、他の例として、ビーズ状や三角錐形状のプリズムで微細構造面２０６を形成することもできる。
【００７１】
（微細構造面を有する導光部材の画像取り出し部）
微細構造面２０６を有する導光部材１００の画像取り出し部１０３の形態は、図６乃至図９について説明したような種々の実施形態とすることができる。以下、図４４乃至図４７を、図６乃至図９と併せて参照しながら、波動光学的な微細構造面２０６を有するライトガイドの画像取り出し部の種々の各実施形態について説明する。図６乃至図９に示す実施例では、画像光の進行方向を反転させる反転領域が再帰反射部１０６となっているが、以下に説明する実施形態では、再帰反射部１０６が波動光学的な微細構造面で代替されているものとして説明する。
【００７２】
これら各実施形態において、画像取り出し部（１０３、１０３Ａ〜１０３Ｃ）を構成する各面は、導光部材１００の前面側に形成されており、後述する第２面１０３ｂは同一平面上すなわち導光部材１００の前面上に複数設けられている点で共通する。
【００７３】
また、各実施形態において、画像取り出し部（１０３、１０３Ａ〜１０３Ｃ）は、それぞれ導光部材１００の前面から連続し傾斜する平面である第１面１０３ａと第３面１０３ｃとが、傾斜の向きを逆にして互いに対向するように配置されている点で共通する。さらに、各実施形態において、画像取り出し部は、再帰反射部１０６に代わる反転領域としての微細構造面２０６に向かって、第１面１０３ａと第２面１０３ｂと第３面１０３ｃとがこの順で繰り返し配置されている点で共通する。
【００７４】
以下、第１面１０３ａと第３面１０３ｃが導光部材１００の前面から凹陥して形成されている構成を画像取り出し部の第１及び第２実施形態として説明する。また、第１面１０３ａと第３面１０３ｃが導光部材１００の前面から突起して形成されている構成を画像取り出し部の第３及び第４実施形態として説明する。
【００７５】
（画像取り出し部の第１実施形態）
画像取り出し部１０３の第１実施形態の構成を図６に拡大して示す。画像取り出し部１０３は、傾斜面である第１面１０３ａと、光線射出部１０４に平行な第２面１０３ｂと、傾斜面である第３面１０３ｃと、前記再帰反射部１０６に代わる微細構造面に向かってこの順で繰り返し配置された構成である。図６に示すように、第１実施形態の画像取り出し部１０３は、第１面１０３ａと第３面１０３ｃとで断面がＶ字状の凹陥部を形成している。
【００７６】
第１実施形態において、画像取り出し部１０３の第１面１０３ａは、その一端（図６において上端）が微細構造面側に位置する第２面１０３ｂと連続し、第２面１０３ｂに対してθaの角度で傾斜する矩形の平面である。第２面１０３ｂは、光線射出部１０４に平行であり、第２面１０３ｂと光線射出部１０４とのなす角θb＝０°である。第１面１０３ａは、光線射出部１０４に対してもθaの傾斜角度を有する。また、第１面１０３ａは、その他端（図６において下端）が光線入射部１０１側（図６において左側）に位置する第３面１０３ｃと連続している。
【００７７】
第１実施形態において、画像取り出し部１０３の第１面１０３ａは、導光部材１００の内部に入射しかつ反転領域で反射した画像光を光線射出部１０４に導いて光線射出部１０４から射出させる画像取り出し面としての役割を担う平面である。第１面１０３ａは、光線射出部１０４に対してθａの傾斜角で傾斜することにより、前記反転領域である波動光学的な微細構造面と対向している。
【００７８】
第２面１０３ｂは、矩形の平面であり、光線入射部１０１側（図６において左側）の一端が第１面１０３ａに連続し、微細構造面側（図６において右側）の一端が第３面１０３ｃに連続している。第２面１０３ｂと光線射出部１０４との距離は、それぞれの第２面１０３ｂ間において同一である。かかる構成により、導光部材１００の加工性及びシースルー性が良好に確保される。
【００７９】
第２面１０３ｂは、入射された画像光を反射させて微細構造面に導く役割、及び微細構造面で進行方向が反転された画像光を反射させる反射面としての役割を担う。さらに、第２面１０３ｂは、導光部材１００のシースルー性を確保するため、ライトガイド５０の前面及び後面からの外部の光を入射させる透過面としての役割も担っている。
【００８０】
第２面１０３ｂを光線射出部１０４に対して傾斜させる、すなわち角度θb≠０°に設定すると、導光部材１００内で導光される画像光が、第２面１０３ｂでの反射角と、光線射出部１０４での反射角とで一致せずに変化することになる。この場合、光線入射部１０１から入射される光線と光線入射部１０１の法線とのなす角で定義される入射角θinと、光線射出部１０４から射出される光線と光線射出部１０４の法線とのなす角で定義される射出角θoutとが同角度とならない。さらに、画像光が第１面１０３ａ及び光線射出部１０４を通じてライトガイド５０の外部に射出される際に、異なった方向に射出されてしまい、虚像としては思わしくないものとなってしまう。したがって、各実施形態において、角度θb＝０°とし、第２面１０３ｂを光線射出部１０４に対して平行に形成している。
【００８１】
第３面１０３ｃは、その一端（図６において上端）が光線入射部１０１側（図６において左側）に位置する第２面１０３ｂと連続し、かかる第２面１０３ｂに対してθｃの角度で傾斜する矩形の平面である。上記のように第２面１０３ｂは光線射出部１０４に平行であることから、第３面１０３ｃは、光線射出部１０４に対してもθｃの傾斜角度を有する。また、第３面１０３ｃは、その他端（図６において下端）が微細構造面側（図６において右側）に位置する第１面１０３ａと連続している。
【００８２】
第１実施形態では、第３面１０３ｃは、光線入射部１０１に対向する向きに形成されており、画像取り出し面としての第１面１０３ａと傾斜の向きを逆にして対向配置されている。かかる第３面１０３ｃは、導光部材１００の内部に導光され微細構造面側に向かって進行する画像光が当たらない位置に設けられることが好ましい（図２８参照）。
【００８３】
また、微細構造面側に向かって進行する画像光が第３面１０３ｃに当たった場合に当該画像光が迷光とならないように、第３面１０３ｃの傾斜角度θｃが設定されていることが好ましい。例えば、傾斜角θｃは、微細構造面側に進行する画像光が第３面１０３ｃに当たった場合に当該画像光が導光部材１００の前面から外部に射出される角度に設定されることが好ましい。あるいは、傾斜角θｃは、微細構造面で反射された画像光が第３面１０３ｃに当たった場合に当該画像光が光線射出部１０４に導かれる角度に設定することもできる。
【００８４】
図６の例では、傾斜角度θａ＝θｃであり、このため、第１面１０３ａと第３面１０３ｃは互いに等しい面積を有している。他方、上述のように、第１面１０３ａと第３面１０３ｃとでは互いに異なる機能を有するため、θａとθｃを互いに異なる角度とすることもできる。
【００８５】
（画像取り出し部の第２実施形態）
画像取り出し部の第２実施形態の構成を図７に拡大して示す。第２実施形態の画像取り出し部１０３Ａは、図６の構成と比較して分かるように、第１実施形態の構成に第４面１０３ｄが付加された構成である。
【００８６】
第２実施形態の画像取り出し部１０３Ａは、傾斜面（画像取り出し面）である第１面１０３ａ、光線射出部１０４に平行な第２面１０３ｂ、第１面１０３ａに対向する傾斜面である第３面１０３ｃ、光線射出部１０４に平行な第４面１０３ｄを備える。画像取り出し部１０３Ａは、第１面１０３ａと、第２面１０３ｂと、第３面１０３ｃと、第４面１０３ｄと、が波動光学的な微細構造面（図７において右側）に向かってこの順で繰り返し配置された構成である。第２実施形態の画像取り出し部１０３Ａは、第１面１０３ａと第３面１０３ｃと第４面１０３ｄとで断面が台形状の凹陥部を形成している。
【００８７】
第１面１０３ａ、第２面１０３ｂ、及び第３面１０３ｃの構成やこれらの機能等は、前述した第１実施形態のものと同等であるため、説明を省略する。
【００８８】
第４面１０３ｄは、光線射出部１０４に平行な矩形の平面である。第４面１０３ｄは、その光線入射部１０１側（図７において左側）の一端が第１面１０３ａの一端（図７において下端）に連続し、微細構造面側（図７において右側）の一端が第３面１０３ｃの一端（図７において下端）に連続する。かかる構成により、導光部材１００の材料容積の軽減や軽量化が図られ、導光部材１００のシースルー性を向上させることができる。また、第４面１０３ｄは、上述した第２面１０３ｂと同様に、入射された画像光を反射させて微細構造面に導く役割、及び微細構造面で進行方向が反転された画像光を反射させる反射面としての役割を担う（図２９参照）。
【００８９】
図６及び図７に示す各実施形態は、第１面１０３ａ及び第３面１０３ｃが導光部材１００の前面及び第２面１０３ｂから凹陥して溝状に形成されている。第１面１０３ａは反転領域である微細構造面に対向し、第３面１０３ｃは光線入射部１０１に対向する向きに形成されている。このため、微細構造面で進行方向が反転した画像光を光線射出部１０４に導く役割を第１面１０３ａが担っており、第１面１０３ａが画像取り出し面として機能する。
【００９０】
これに対して、図８及び図９に示す各実施形態は、第１面１０３ａ及び第３面１０３ｃが導光部材１００の前面及び第２面１０３ｂから突起して山状に形成されている。また、図８及び図９の各実施形態では、第３面１０３ｃが微細構造面に対向し、第１面は光線入射部１０１に対向する向きに形成されている。このため、微細構造面で進行方向が反転した画像光を光線射出部１０４に導く役割を第３面１０３ｃが担っており、第３面１０３ｃが画像取り出し面として機能する。
【００９１】
（画像取り出し部の第３実施形態）
画像取り出し部１０３の第３実施形態の構成を図８に拡大して示す。図８中、光線射出部１０４に平行な面を点線で表している。第３実施形態の画像取り出し部１０３Ｂは、傾斜面である第１面１０３ａと、光線射出部１０４に平行な第２面１０３ｂと、傾斜面である第３面１０３ｃと、が微細構造面（図８において右側）に向かってこの順で繰り返し配置された構成である。
【００９２】
第３実施形態において、画像取り出し部１０３Ｂの第１面１０３ａは、その一端（図８において下端）が微細構造面側に位置する第２面１０３ｂと連続し、第２面１０３ｂに対してθaの角度で傾斜する矩形の平面である。第２面１０３ｂは、光線射出部１０４に平行であり、第２面１０３ｂと光線射出部１０４とのなす角θb＝０°である。したがって、第１面１０３ａは、光線射出部１０４に対してもθaの傾斜角度を有する。また、第１面１０３ａは、その他端（図８において上端）が光線入射部１０１側（図６において左側）に位置する第３面１０３ｃと連続している。
【００９３】
この第３実施形態では、第１面１０３ａは、光線入射部１０１に対向する向きに形成されており、画像取り出し面としての第３面１０３ｃと傾斜の向きを逆にして対向配置される。かかる第１面１０３ａは、導光部材１００の内部に導光され微細構造面側に進行する画像光が当たらない位置に設けられることが好ましい（図２９参照）。
【００９４】
また、微細構造面に向かって進行する画像光が第１面１０３ａに当たった場合に当該画像光が迷光とならないように、第１面１０３ａの傾斜角度θａが設定されていることが好ましい。例えば、傾斜角θａは、微細構造面側に進行する画像光が第１面１０３ａに当たった場合に当該画像光が導光部材１００の前面から外部に射出される角度に設定するとよい。あるいは、傾斜角θａは、微細構造面側に進行する画像光が第１面１０３ａに当たった場合に当該画像光が光線射出部１０４に導かれる角度に設定することもできる。
【００９５】
第２面１０３ｂは、矩形の平面であり、光線入射部１０１側（図８において左側）の一端が第１面１０３ａに連続し、微細構造面１０６側（図８において右側）の一端が第３面１０３ｃに連続する。第２面１０３ｂと光線射出部１０４との距離は、それぞれの第２面１０３ｂ間において同一である。かかる構成により、導光部材１００の加工性及びシースルー性が良好に確保される。
【００９６】
第３面１０３ｃは、その一端（図８において下端）が光線入射部１０１側（図８において左側）に位置する第２面１０３ｂと連続し、かかる第２面１０３ｂに対してθｃの角度で傾斜する矩形の平面である。上記のように第２面１０３ｂは光線射出部１０４に平行であることから、第３面１０３ｃは、光線射出部１０４に対してもθｃの傾斜角度を有する。また、第３面１０３ｃは、その他端（図８において上端）が微細構造面側（図８において右側）に位置する第１面１０３ａと連続している。
【００９７】
第３実施形態では、第３面１０３ｃは、微細構造面に対向する向きに形成されており、微細構造面で進行方向が反転した画像光を光線射出部１０４に導く画像取り出し面としての機能を有する。
【００９８】
図８の例では、傾斜角度θａ＝θｃであり、このため、第１面１０３ａと第３面１０３ｃは互いに等しい面積を有している。他方、上述のように、第１面１０３ａと第３面１０３ｃとでは互いに異なる機能を有するため、θａとθｃを互いに異なる角度とすることもできる。
【００９９】
（画像取り出し部の第４実施形態）
画像取り出し部１０３の第４実施形態の構成を図９に拡大して示す。図９中、光線射出部１０４に平行な面を点線で表している。第４実施形態の画像取り出し部１０３Ｃは、上述した図８の構成と比較して分かるように、第３実施形態の構成に第４面１０３ｄが付加された構成である。
【０１００】
第４実施形態の画像取り出し部１０３Ｃは、傾斜面（対向面）である第１面１０３ａ、光線射出部１０４に平行な第２面１０３ｂ、傾斜面（画像取り出し面）である第３面１０３ｃ、及び光線射出部１０４に平行な第４面１０３ｄを備える。画像取り出し部１０３Ｃは、第１面１０３ａと、第２面１０３ｂと、第３面１０３ｃと、第４面１０３ｄと、が微細構造面（図９において右側）に向かってこの順で繰り返し配置された構成である。
【０１０１】
第１面１０３ａ、第２面１０３ｂ、及び第３面１０３ｃの構成や機能等は、上述した第３実施形態のものと同等であるため、説明を省略する。
【０１０２】
第４面１０３ｄは、光線射出部１０４に平行な矩形の平面である。第４面１０３ｄは、その光線入射部１０１側（図９において左側）の一端が第３面１０３ｃの一端（図９において上端）に連続し、微細構造面側（図９において右側）の一端が第１面１０３ａの一端（図９において上端）に連続する。
【０１０３】
第４実施形態の第４面１０３ｄも、上述した第２面１０３ｂと同様に、入射された画像光を反射させて微細構造面に導く役割、及び微細構造面で進行方向が反転された画像光を反射させる反射面としての役割を担う。
【０１０４】
以上説明したような、導光部材が、画像光の反転領域として波動光学的な微細構造面２０６を有するライトガイドを用いると、以下のような効果を得ることができる。
（１）一般的な反射面は光線が発散するのに対し、波動光学的な微細構造面は、波長選択性がよく、不要な光は透過する。
（２）プリズムによる再帰反射のように、反射面にコートを施す必要がない。
（３）プリズムによる再帰反射のように、厳密な公差設定は不要である。
（４）小型化、薄型化が容易である。
【０１０５】
（導光部材の具体例）
以下、導光部材１００の構成を更に詳細に説明する。導光部材１００の材質は、シースルー性を考慮すると透過性の高い材質、例えば硝子等が好ましく、さらに、上述した画像取り出し部１０３の加工を考慮すると、樹脂で成形することが好ましい。
【０１０６】
また、画像取り出し部１０３の画像取り出し面（第１面１０３ａまたは第３面１０３ｃ）には任意のコートを施すことができ、例えば、アルミニウムや銀、誘電コートなどのミラーコートを施すことができる。導光される画像光の光量の損失を出来るだけ防止するために、画像取り出し部１０３の画像取り出し面には、反射率が１０％以上のコートを施すことが望ましく、さらには、反射率が略１００％のコートを施すことが、より望ましい。
【０１０７】
導光部材１００における画像取り出し部１０３の第２面１０３ｂの幅ｗの値は、
０．５[ｍｍ]  ＜  ｗ  ＜  ３．０[ｍｍ]
の条件を満たすように設定される。ここで、幅ｗは、導光部材１００の長手方向に沿った方向すなわち入射された画像光の進行方向に沿った方向における第２面１０３ｂの長さである（図６参照）。
【０１０８】
以下、第２面１０３ｂの幅ｗの設定条件について詳細に説明する。
【０１０９】
虚像として確認できる視野の幅を「アイボックス」と称し、虚像が確認できる光線射出部１０４から眼球までの距離を「アイレリーフ」と称する。そして、アイボックスの径をφ、アイレリーフをＬ、ライトガイドの厚み（肉厚）をｔｌ、画像取り出し部１０３が有する光線射出部１０４と平行な面すなわち第２面１０３ｂの数をｎとすると、第２面１０３ｂの幅ｗは、次式で表される。
【０１１０】
2017198962.tif 000003
【０１１１】
ここで、アイボックスの幅が広いほど見える範囲も広くなるため、通常、アイボックス径φは大きいほうが望ましい。他方、アイボックス径φを大きくすると、ライトガイドの厚みが厚くなり、ライトガイドの設計難易度が高くなりがちとなる。
【０１１２】
一般的には、目の瞳の直径は５ｍｍ程度であるが、個人差に応じてライトガイド５０の適切な位置設定が必要となるため、アイボックス径φを大きく設定する方が良い。また、後述のようにライトガイド５０を眼鏡型の虚像表示装置に適用することを考慮すると、一般にアイレリーフＬは１５ｍｍ以上必要である。
【０１１３】
したがって、例えばアイレリーフを２０ｍｍに設定し、アイボックスを５ｍｍ以上１０ｍｍ以下に設定すると、第２面１０３ｂの幅ｗは、上記の
０．５[ｍｍ]  ＜  ｗ  ＜  ３．０[ｍｍ]
の条件を満たす必要がある。
【０１１４】
第２面１０３ｂの幅ｗが０．５ｍｍに満たない場合、画像取り出し面（第１面１０３ａまたは第３面１０３ｃ）の幅を短くする必要があり、入射された画像光の回折現象が生じやすくなり、また製造が難しくなるため、望ましくない。さらに、画像取り出し面の幅を短くすることなしに、アイレリーフ２０mmの位置においてアイボックス５mm以上１０mm以下を確保するためには、ライトガイドの厚みを増す必要があり、重量も大きくなるため望ましくない。
【０１１５】
一方、第２面１０３ｂの幅ｗが３．０ｍｍを超える場合、入射された画像光につき、画像取り出し面を反射して光線射出部１０４から射出される光線の密度が低下し、目の位置における光量が低下するため、望ましくない。したがって、画像取り出し部１０３の第２面１０３ｂの幅ｗは、
０．５[ｍｍ]  ＜  ｗ  ＜  ３．０[ｍｍ]
の条件を満たすことが望ましい。
【０１１６】
第２面１０３ｂの幅ｗは、各々の第２面１０３ｂで異なる値としてもよい。具体的には、通常、光線入射部１０１からの距離が長くなるほど画像光の光線密度が低下することから、光線入射部１０１からの距離が短くなるほど第２面１０３ｂの幅ｗを小さくする設定にするとよい。かかる設定とすることで、光線入射部１０１から近くなるほど画像取り出し面（第１面１０３ａまたは第３面１０３ｃ）の単位長さあたりの配置数が増えるので、光量ムラを低減させることができる。
【０１１７】
同様に、光量ムラを低減させるために、画像取り出し部１０３の画像取り出し面（第１面１０３ａまたは第３面１０３ｃ）の幅を各々の面で異なる幅としてもよい。画像取り出し面の幅は、導光部材１００の長手方向に沿った方向すなわち入射された画像光の進行方向に沿った方向における第１面１０３ａまたは第３面１０３ｃの長さである。具体的には、光線入射部１０１からの距離が短くなるほど第１面１０３ａまたは第３面１０３ｃの幅を大きくする設定にするとよい。かかる設定とすることにより、光線入射部１０１から近くなるほど第１面１０３ａまたは第３面１０３ｃの面積が大きくなるので、光量ムラを低減させることができる。
【０１１８】
ライトガイド５０の厚みは、１ｍｍから８ｍｍの範囲とすることが望ましい。ライトガイド５０の厚みが１ｍｍに満たないと、導光部材１００の画像取り出し部１０３の形状を形成することが困難となる。他方、ライトガイド５０の厚みが８ｍｍを超えると、広視野角を得るには有利であるが、部材の重量が大きくなることから、好ましくない。
【０１１９】
（光学部材の構成）
次に、光学部材２００の構成を説明する。
【０１２０】
（第１実施形態の光学部材）
第１実施形態の光学部材２００は、図１に示すように、平面視で矩形の外形を有する板状の部材である。光学部材２００は、導光部材１００の前面すなわち画像取り出し部１０３及び全反射面１０２に対向して設けられることで、主に光線射出部１０４及び画像取り出し部１０３の光線透過性すなわちシースルー性を向上させる役割を有する。また、光学部材２００は、導光部材１００のたわみの補正と、画像取り出し部１０３を保護する役割をも有する。
【０１２１】
光学部材２００は、導光部材１００の光線射出部１０４に平行に位置する前面２１０を有する。光学部材２００の後面は、導光部材１００の画像取り出し部１０３に対向配置される部位であり、図１の例では前面２１０に平行な平面となっている。光学部材２００の後面は、導光部材１００の画像取り出し部１０３に空気層すなわちエアギャップ１４０を介して近接配置されている。本実施形態では、導光部材１００の前面の端縁と光学部材２００の後面の端縁とを、マイクロボール型の接着剤を用いて接着している。このようにすることで、画像取り出し部１０３のエアギャップ１４０を等間隔とすることが可能となり、シースルー性をより高めることができる。
【０１２２】
光学部材２００の材質としては、導光部材１００と同じ部材とすることができる。また、光学部材２００の材質として、板ガラス、紫外線硬化性樹脂や熱硬化性樹脂等を使用することができる。
【０１２３】
光学部材２００の他の実施の形態については後述する。
【０１２４】
（虚像表示装置の各種構成）
次に、上述した第１実施形態の画像取り出し部１０３を備えた導光部材１００をライトガイド５０として用いた虚像表示装置について、図１０乃至図１７、図２６乃至図２８、及び図３２を参照して説明する。図１０乃至図４３では、導光部材１００が有している画像光の反転領域が再帰反射部１０６で構成されている例が示されている。前記反転領域は、再帰反射部１０６の代わりに、既に説明した微細な構造で構成された波動光学的な微細構造面で構成してもよい。したがって、以下の説明において、「再帰反射部１０６」は「波動光学的な微細構造面」と読み替えてもよい。
【０１２５】
図１０に示す虚像表示装置は、表示画像の画像光を出力する画像表示素子１０と、画像表示素子１０からの画像光をコリメートして射出するコリメート光学系３００と、ライトガイド５０とを虚像表示光学系として備える。かかる虚像表示光学系において、コリメート光学系３００は、導光部材１００の光線入射部１０１の直近に配置され、画像表示素子１０で表示される画像光すなわち表示画像の画像情報を角度変換して導光部材１００に入射させる役割を担う。
【０１２６】
画像表示素子１０は、ライトガイド５０を通じて表示する虚像の基となる表示画像の画像光を出力するデバイスである。画像表示素子１０は、有機ＥＬＤ（ＯＬＥＤ：Ｏｒｇａｎｉｃ Ｌｉｇｈｔ Ｅｍｉｔｔｉｎｇ Ｄｉｏｄｅ）や液晶表示素子が好適であるが、他にも種々の表示方式のものが適用できる。例えば、画像表示素子１０として、ＤＭＤ（Ｄｉｇｉｔａｌ  Ｍｉｃｒｏｍｉｒｒｏｒ  Ｄｅｖｉｃｅ）が適用可能である。また、画像表示素子１０として、ＴＦＴ（Ｔｈｉｎ  Ｆｉｌｍ  Ｔｒａｎｓｉｓｔｏｒ）やＬＣＯＳ（Ｌｉｑｕｉｄ  Ｃｒｙｓｔａｌ  Ｏｎ  Ｓｉｌｉｃｏｎ）が適用可能である。さらに、画像表示素子１０として、ＭＥＭＳ（Ｍｉｃｒｏ Ｅｌｅｃｔｒｏ Ｍｅｃｈａｎｉｃａｌ Ｓｙｓｔｅｍｓ）が適用可能である。
【０１２７】
図１０では、画像表示素子１０として、光源を必要とするＬＣＯＳやＤＭＤなどを用いた例を示しており、画像表示素子１０を照明するための光源ＬＳを加えている。光源ＬＳは、種々のものが適用でき、例えばＬＥＤ（Ｌｉｇｈｔ  Ｅｍｉｔｔｉｎｇ  Ｄｉｏｄｅ）、半導体レーザ（Ｌａｓｅｒ  Ｄｉｏｄｅ：ＬＤ）、放電ランプなどを用いることができる。
【０１２８】
コリメート光学系３００は、複数の光学レンズや絞りなどから構成され（図３２参照）、画像表示素子１０から出射される画像光を拡大し平行光として射出する。
【０１２９】
かかる虚像表示装置によれば、光源ＬＳで照明された画像表示素子１０の画像光は、コリメート光学系３００を通過することで、拡大され平行光としてライトガイド５０に入射する。すなわち、コリメート光学系３００で拡大された平行光である画像光は、ライトガイド５０における導光部材１００の光線入射部１０１から入射して導光部材１００の内部に導光される（図２６参照）。
【０１３０】
光線入射部１０１から入射され導光された画像光は、発散光となり、導光部材１００の内部すなわち前面及び後面を全反射しながら再帰反射部１０６に向かって進行する。かかる全反射の様子を図２８中に光線Ｄとして点線の矢印で示している。
【０１３１】
かかる画像光は、再帰反射部１０６に到達すると、再帰反射部１０６の上述した第１傾斜面１０６ａ及び第２傾斜面１０６ｂによる多数のプリズムによって反射され、光線入射部１０１の方向に進むように進行方向が反転する。かかる反転の様子を図２７中に点線及び実線の矢印で示している。ここで、画像光は、再帰反射部１０６を構成する第１傾斜面１０６ａ及び第２傾斜面１０６ｂの両面で反射して、平面方向から見た入射光と出射光が平行になるとともに、収束光となって導光部材１００内を進行する。
【０１３２】
進行方向が反転した画像光は、画像取り出し部１０３の画像取り出し面（図１０の例では第１面１０３ａ）に到達すると、画像取り出し面で反射して、収束光として光線射出部１０４から射出され、観察者の眼の方向に導かれる。かかる画像光の取り出しの様子を図２８中に光線Ａとして実線の矢印で示している。観察者は、導光部材１００の光線射出部１０４を通して前方を覗くことで、画像光の虚像を視認することができる。
【０１３３】
このように、本実施形態のライトガイド５０によれば、画像光が収束光として射出され、観察者の眼に提供されるので、広角でも虚像が欠けずに良好に観察できる虚像表示装置を実現できる。
【０１３４】
図１１は、図１０の導光部材１００に第１実施形態の光学部材２００を加えたライトガイド５０Ａを虚像光学系として用いた虚像表示装置の構成例である。かかる虚像表示装置によれば、表示される虚像については上述と同等の効果が得られる。すなわち、観察者は、導光部材１００の光線射出部１０４及び光学部材２００を通して前方を覗くことで、画像光の虚像を良好に視認することができる。同時に、光学部材２００によって、画像取り出し部１０３の保護と導光板１００のたわみ矯正や防止の効果が得られる。
【０１３５】
図１２は、図１０の導光部材１００に第２実施形態による複数の光学部材２００Ａを加えたライトガイド５０Ｂを虚像光学系として用いた虚像表示装置の構成例である。
【０１３６】
このライトガイド５０Ｂは、導光部材１００の画像取り出し部１０３における溝形状の部分、すなわち第１面１０３ａ及び対向する第３面１０３ｃにより形成された空間に、平面視で三角形の形状を呈する光学部材２００Ａを配置した構成となっている。光学部材２００Ａは、導光部材１００の第１面１０３ａ及び第３面１０３ｃに対応した形状の傾斜面２０３ａ及び傾斜面２０３ｃを有し、これら傾斜面２０３ａ及び傾斜面２０３ｃが第１面１０３ａ及び第３面１０３ｃに対向位置している。また、傾斜面２０３ａ及び傾斜面２０３ｃの反対側の前面２１０は、導光部材１００の光線射出部１０４に平行に配置されている。
【０１３７】
図１２に示す虚像表示装置によれば、表示される虚像については図１０の構成と同等の効果が得られ、加えて、より良好なシースルー性が得られる。すなわち、観察者は、導光部材１００の光線射出部１０４及び光学部材２００Ａを通して前方を覗くことで、画像光の虚像を良好に視認することができる。同時に、光学部材２００Ａによって、画像取り出し部１０３の保護と導光板１００のたわみ矯正や防止の効果が得られる。
【０１３８】
図１３は、図１０の導光部材１００に第３実施形態による光学部材２００Ｂを加えたライトガイド５０Ｃを虚像光学系として用いた虚像表示装置の構成例である。
【０１３９】
第３実施形態の光学部材２００Ｂは、図１１に示す第１実施形態の光学部材２００と、図１２で上述した第２実施形態の複数の光学部材２００Ａとが一体化された構成となっている。図１３に示す虚像表示装置によれば、表示される虚像については図１０の構成と同等の効果が得られ、加えて、より良好なシースルー性が得られる。すなわち、観察者は、導光部材１００の光線射出部１０４及び光学部材２００Ｂを通して前方を覗くことで、画像光の虚像を良好に視認することができる。同時に、光学部材２００Ｂによって、画像取り出し部１０３の保護と導光板１００のたわみ矯正や防止の効果が得られる。
【０１４０】
次に、上述した第２実施形態の画像取り出し部１０３Ａを備えた導光部材１００をライトガイドとして用いた虚像表示装置について、図１４乃至図１７、図２９等を参照して説明する。
【０１４１】
図１４に示す虚像表示装置は、表示画像の画像光を出力する画像表示素子１０と、画像表示素子１０からの画像光をコリメートして射出するコリメート光学系３００と、ライトガイド５０Ｄとを虚像表示光学系として備える。かかる虚像表示光学系において、コリメート光学系３００、画像表示素子１０、及び光源ＬＳの構成や配置等については図１０で上述した通りである。
【０１４２】
かかる虚像表示装置によれば、光源ＬＳで照明された画像表示素子１０の画像光は、コリメート光学系３００を通過することで、拡大され平行光としてライトガイド５０Ｄに入射する。すなわち、コリメート光学系３００で拡大された平行光である画像光は、ライトガイド５０Ｄにおける導光部材１００の光線入射部１０１から入射して導光部材１００の内部に導光される（図２６参照）。
【０１４３】
光線入射部１０１から入射され導光された画像光は、上述のように、発散光となり、導光部材１００の内部すなわち前面及び後面または第４面１０３ｄを全反射しながら再帰反射部１０６に向かって進行する。かかる全反射の様子を図２９中に光線Ｄとして点線の矢印で示している。
【０１４４】
かかる画像光は、再帰反射部１０６に到達すると、再帰反射部１０６の上述した第１傾斜面１０６ａ及び第２傾斜面１０６ｂによる多数のプリズムによって反射され、光線入射部１０１の方向に進むように進行方向が反転する（図２７参照）。ここで、画像光は、再帰反射部１０６を構成する第１傾斜面１０６ａ及び第２傾斜面１０６ｂの両面で反射して、平面方向から見た入射光と出射光が平行になるとともに、収束光となって導光部材１００内を進行する。
【０１４５】
進行方向が反転した画像光は、画像取り出し部１０３Ａの画像取り出し面（図１４の例では第１面１０３ａ）に到達すると、画像取り出し面で反射して、収束光として光線射出部１０４から射出され、観察者の眼の方向に導かれる。かかる画像光の取り出しの様子を図２９中に光線Ａとして実線の矢印で示している。観察者は、導光部材１００の光線射出部１０４を通して前方を覗くことで、画像光の虚像を視認することができる。
【０１４６】
このように、ライトガイド５０Ｄによれば、画像光が収束光として射出され、観察者の眼に提供されるので、広角でも虚像が欠けずに良好に観察できる虚像表示装置を実現できる。
【０１４７】
図１５は、図１４の導光部材に第１実施形態の光学部材２００を加えたライトガイド５０Ｆを虚像光学系として用いた虚像表示装置の構成例である。かかる虚像表示装置によれば、表示される虚像については図１４の構成と同等の効果が得られる。すなわち、観察者は、導光部材１００の光線射出部１０４及び光学部材２００を通して前方を覗くことで、画像光の虚像を良好に視認することができる。同時に、光学部材２００によって、画像取り出し部１０３の保護と導光板１００のたわみ矯正や防止の効果が得られる。
【０１４８】
図１６は、図１４の導光部材に第４実施形態による複数の光学部材２００Ｃを加えたライトガイド５０Ｅを虚像光学系として用いた虚像表示装置の構成例である。
【０１４９】
ライトガイド５０Ｆは、導光部材１００の画像取り出し部１０３Ａにおける溝形状の部分、すなわち連続する第１面１０３ａ、第４面１０３ｄ、及び第３面１０３ｃにより形成された空間に、平面視で台形の形状を呈する光学部材２００Ｃを配置した構成となっている。光学部材２００Ｃは、導光部材１００の第１面１０３ａ、第４面１０３ｄ及び第３面１０３ｃに対応した形状の傾斜面２０３ａ、後面２０３ｄ及び傾斜面２０３ｃを有し、これら各面２０３ａ、２０３ｄ、２０３ｃが導光部材１００の対応する面に対向位置している。また、後面２０３ｄの反対側の前面２１０は、導光部材１００の光線射出部１０４に平行に配置されている。
【０１５０】
図１６に示す虚像表示装置によれば、表示される虚像については図１４の構成と同等の効果が得られ、加えて、より良好なシースルー性が得られる。すなわち、観察者は、導光部材１００の光線射出部１０４及び光学部材２００Ｃを通して前方を覗くことで、画像光の虚像を良好に視認することができる。同時に、光学部材２００Ｃによって、画像取り出し部１０３Ａの保護と導光板１００のたわみ矯正や防止の効果が得られる。
【０１５１】
図１７は、図１４の導光部材１００に第５実施形態による光学部材２００Ｄを加えたライトガイド５０Ｇを虚像光学系として用いた虚像表示装置の構成例である。
【０１５２】
第５実施形態の光学部材２００Ｄは、図１５に示す第１実施形態の光学部材２００と、図１６で上述した第４実施形態の複数の光学部材２００Ｃとが一体化された構成となっている。図１７に示す虚像表示装置によれば、表示される虚像については図１４の構成と同等の効果が得られ、加えて、より良好なシースルー性が得られる。すなわち、観察者は、導光部材１００の光線射出部１０４及び光学部材２００Ｄを通して前方を覗くことで、画像光の虚像を良好に視認することができる。同時に、光学部材２００によって、画像取り出し部１０３Ａの保護と導光板１００のたわみ矯正や防止の効果が得られる。
【０１５３】
次に、上述した第３実施形態の画像取り出し部１０３Ｂを備えた導光部材１００をライトガイドとして用いた虚像表示装置について、図１８乃至図２１、図３０等を参照して説明する。
【０１５４】
図１８に示す虚像表示装置は、表示画像の画像光を出力する画像表示素子１０と、画像表示素子１０からの画像光をコリメートして射出するコリメート光学系３００と、ライトガイド５０Ｈとを虚像表示光学系として備える。かかる虚像表示光学系において、コリメート光学系３００、画像表示素子１０、及び光源ＬＳの構成や配置等については図１０で上述した通りである。
【０１５５】
かかる虚像表示装置によれば、光源ＬＳで照明された画像表示素子１０の画像光は、コリメート光学系３００を通過することで、拡大され平行光としてライトガイド５０Ｈに入射する。すなわち、コリメート光学系３００で拡大された平行光である画像光は、ライトガイド５０Ｈにおける導光部材１００の光線入射部１０１から入射して導光部材１００の内部に導光される（図２６参照）。
【０１５６】
光線入射部１０１から入射され導光された画像光は、上述のように、発散光となり、導光部材１００の内部すなわち前面及び後面を全反射しながら再帰反射部１０６に向かって進行する。かかる全反射の様子を図３０中に光線Ｄとして点線の矢印で示している。
【０１５７】
かかる画像光は、再帰反射部１０６に到達すると、再帰反射部１０６の上述した第１傾斜面１０６ａ及び第２傾斜面１０６ｂによる多数のプリズムによって反射され、光線入射部１０１の方向に進むように進行方向が反転する（図２７参照）。ここで、画像光は、再帰反射部１０６を構成する第１傾斜面１０６ａ及び第２傾斜面１０６ｂの両面で反射して、平面方向から見た入射光と出射光が平行になるとともに、収束光となって導光部材１００内を進行する。
【０１５８】
進行方向が反転した画像光は、画像取り出し部１０３Ｂの画像取り出し面（図１８の例では第３面１０３ｃ）に到達すると、画像取り出し面で反射して、収束光として光線射出部１０４から射出され、観察者の眼の方向に導かれる。かかる画像光の取り出しの様子を図３０中に光線Ａとして実線の矢印で示している。観察者は、導光部材１００の光線射出部１０４を通して前方を覗くことで、画像光の虚像を視認することができる。
【０１５９】
このように、ライトガイド５０Ｈによれば、画像光が収束光として射出され、観察者の眼に提供されるので、広角でも虚像が欠けずに良好に観察できる虚像表示装置を実現できる。
【０１６０】
図１９は、図１８の導光部材に第１実施形態の光学部材２００を加えたライトガイド５０Ｉを虚像光学系として用いた虚像表示装置の構成例である。かかる虚像表示装置によれば、表示される虚像については図１８の構成と同等の効果が得られる。すなわち、観察者は、導光部材１００の光線射出部１０４及び光学部材２００を通して前方を覗くことで、画像光の虚像を良好に視認することができる。同時に、光学部材２００によって、画像取り出し部１０３Ｂの保護と導光板１００のたわみ矯正や防止の効果が得られる。
【０１６１】
図２０は、図１８の導光部材に第６実施形態による複数の光学部材２００Ｅを加えたライトガイド５０Ｊを虚像光学系として用いた虚像表示装置の構成例である。
【０１６２】
ライトガイド５０Ｊは、導光部材１００の画像取り出し部１０３Ｂにおける２つの突起状部分、すなわち光線入射部１０１側から連続する第１面１０３ａ、第２面１０３ｂ及び第３面１０３ｃにより形成された空間に、光学部材２００Ｅを配置した構成となっている。光学部材２００Ｅは、平面視で台形の形状を呈し、導光部材１００の第１面１０３ａ、第２面１０３ｂ及び第３面１０３ｃに対応した形状の傾斜面２０３ａ、後面２０３ｂ及び傾斜面２０３ｃを有する。光学部材２００Ｅは、これら各面２０３ａ、１０３ｂ、２０３ｃが導光部材１００の対応する面に対向位置している。光学部材２００Ｅの後面２０３ｂは、導光部材１００の光線射出部１０４及び第２面１０３ｂに平行に配置されている。また、光学部材２００Ｅの後面２０３ｂの反対側の前面２１０は、導光部材１００の光線射出部１０４に平行に配置されている。
【０１６３】
図２０に示す虚像表示装置によれば、表示される虚像については図１８の構成と同等の効果が得られ、加えて、より良好なシースルー性が得られる。すなわち、観察者は、導光部材１００の光線射出部１０４及び光学部材２００Ｅを通して前方を覗くことで、画像光の虚像を良好に視認することができる。同時に、光学部材２００Ｅによって、画像取り出し部１０３Ｂの保護と導光板１００のたわみ矯正や防止の効果が得られる。
【０１６４】
図２１は、図１８の導光部材１００に第７実施形態による光学部材２００Ｆを加えたライトガイド５０Ｋを虚像光学系として用いた虚像表示装置の構成例である。
【０１６５】
第７実施形態の光学部材２００Ｆは、図１９に示す第１実施形態の光学部材２００と、図２０で上述した第６実施形態の複数の光学部材２００Ｃとが一体化された構成となっている。図２１に示す虚像表示装置によれば、表示される虚像については図１８の構成と同等の効果が得られ、加えて、より良好なシースルー性が得られる。すなわち、観察者は、導光部材１００の光線射出部１０４及び光学部材２００Ｆを通して前方を覗くことで、画像光の虚像を良好に視認することができる。同時に、光学部材２００Ｆによって、画像取り出し部１０３Ｂの保護と導光板１００のたわみ矯正や防止の効果が得られる。
【０１６６】
次に、上述した第４実施形態の画像取り出し部１０３Ｃを備えた導光部材１００をライトガイドとして用いた虚像表示装置について、図２２乃至図２５、図３１等を参照して説明する。
【０１６７】
図２２に示す虚像表示装置は、表示画像の画像光を出力する画像表示素子１０と、画像表示素子１０からの画像光をコリメートして射出するコリメート光学系３００と、ライトガイド５０Ｌとを虚像表示光学系として備える。かかる虚像表示光学系において、コリメート光学系３００、画像表示素子１０、及び光源ＬＳの構成や配置等については図１０で上述した通りである。
【０１６８】
かかる虚像表示装置によれば、光源ＬＳで照明された画像表示素子１０の画像光は、コリメート光学系３００を通過することで、拡大され平行光としてライトガイド５０Ｌに入射する。すなわち、コリメート光学系３００で拡大された平行光である画像光は、ライトガイド５０Ｌにおける導光部材１００の光線入射部１０１から入射して導光部材１００の内部に導光される（図２６参照）。
【０１６９】
光線入射部１０１から入射され導光された画像光は、上述のように、発散光となり、導光部材１００の内部すなわち前面及び後面を全反射しながら再帰反射部１０６に向かって進行する。かかる全反射の様子を図３１中に光線Ｄとして点線の矢印で示している。
【０１７０】
かかる画像光は、再帰反射部１０６に到達すると、再帰反射部１０６の上述した第１傾斜面１０６ａ及び第２傾斜面１０６ｂによる多数のプリズムによって反射され、光線入射部１０１の方向に進むように進行方向が反転する（図２７参照）。ここで、画像光は、再帰反射部１０６を構成する第１傾斜面１０６ａ及び第２傾斜面１０６ｂの両面で反射して、平面方向から見た入射光と出射光が平行になるとともに、収束光となって導光部材１００内を進行する。
【０１７１】
進行方向が反転した画像光は、画像取り出し部１０３Ｃの画像取り出し面（図２２の例では第３面１０３ｃ）に到達すると、画像取り出し面で反射して、収束光として光線射出部１０４から射出され、観察者の眼の方向に導かれる。かかる画像光の取り出しの様子を図３１中に光線Ａとして実線の矢印で示している。観察者は、導光部材１００の光線射出部１０４を通して前方を覗くことで、画像光の虚像を視認することができる。
【０１７２】
このように、ライトガイド５０Ｌによれば、画像光が収束光として射出され、観察者の眼に提供されるので、広角でも虚像が欠けずに良好に観察できる虚像表示装置を実現できる。
【０１７３】
図２３は、図２２の導光部材に第１実施形態の光学部材２００を加えたライトガイド５０Ｍを虚像光学系として用いた虚像表示装置の構成例である。かかる虚像表示装置によれば、表示される虚像については図２２の構成と同等の効果が得られる。すなわち、観察者は、導光部材１００の光線射出部１０４及び光学部材２００を通して前方を覗くことで、画像光の虚像を良好に視認することができる。同時に、光学部材２００によって、画像取り出し部１０３Ｃの保護と導光板１００のたわみ矯正や防止の効果が得られる。
【０１７４】
図２４は、図２２の導光部材に第８実施形態による複数の光学部材２００Ｇを加えたライトガイド５０Ｎを虚像光学系として用いた虚像表示装置の構成例である。
【０１７５】
ライトガイド５０Ｎは、導光部材１００の画像取り出し部１０３Ｂにおける２つの突起状部分、すなわち光線入射部１０１側から連続する第１面１０３ａ、第２面１０３ｂ及び第３面１０３ｃにより形成された空間に、光学部材２００Ｇを配置した構成となっている。光学部材２００Ｇは、平面視で台形の形状を呈し、導光部材１００の第１面１０３ａ、第２面１０３ｂ及び第３面１０３ｃに対応した形状の傾斜面２０３ａ、後面２０３ｂ及び傾斜面２０３ｃを有する。光学部材２００Ｇは、これら各面２０３ａ、１０３ｂ、２０３ｃが導光部材１００の対応する面に対向位置している。光学部材２００Ｇの後面２０３ｂは、導光部材１００の光線射出部１０４及び第２面１０３ｂに平行に配置されている。また、光学部材２００Ｇの後面２０３ｂの反対側の前面２１０も、導光部材１００の光線射出部１０４に平行に配置されている。
【０１７６】
図２４に示す虚像表示装置によれば、表示される虚像については図２２の構成と同等の効果が得られ、加えて、より良好なシースルー性が得られる。すなわち、観察者は、導光部材１００の光線射出部１０４及び光学部材２００Ｇを通して前方を覗くことで、画像光の虚像を良好に視認することができる。
同時に、光学部材２００Ｇによって、画像取り出し部１０３Ｃの保護と導光板１００のたわみ矯正や防止の効果が得られる。
【０１７７】
図２５は、図２２の導光部材１００に第９実施形態による光学部材２００Ｈを加えたライトガイド５０Ｐを虚像光学系として用いた虚像表示装置の構成例である。
【０１７８】
第９実施形態の光学部材２００Ｈは、図２３に示す第１実施形態の光学部材２００と、図２４で上述した第８実施形態の複数の光学部材２００Ｇとが一体化された構成となっている。図２５に示す虚像表示装置によれば、表示される虚像については図２２の構成と同等の効果が得られ、加えて、より良好なシースルー性が得られる。すなわち、観察者は、導光部材１００の光線射出部１０４及び光学部材２００Ｇを通して前方を覗くことで、画像光の虚像を良好に視認することができる。同時に、光学部材２００Ｈによって、画像取り出し部１０３Ｃの保護と導光板１００のたわみ矯正や防止の効果が得られる。
【０１７９】
（ライトガイドのさらに他の実施形態）
次に、図３３乃至図４１を参照して、ライトガイドのさらに他の実施の形態について説明する。このライトガイドの実施形態は、導光部材内を導光される画像光の進行方向を反転させる反転領域としての前記再帰反射部の構成に改良を加えたものである。
【０１８０】
図３３に、他の実施の形態によるライトガイド５０Ｑの前面図を示す。図３３に示すライトガイド５０Ｑは、プリズムの頂角の角度調整を可能にした再帰反射部１０６Ａを備えた導光部材１０６Ａを有する。
【０１８１】
上述したように、ライトガイドの導光部材に再帰反射面と画像取り出し面を多数配置する構成とすることで、水平方向と垂直方向の視野角を大きくすることができる。他方、再帰反射面のプリズム角度が所望の角度からずれると、再帰する光線方向が変化し、光学性能に影響してしまうという課題がある。
【０１８２】
かかる技術的課題に鑑みて、導光部材１００Ａは、再帰反射部を構成するプリズムの凸部（頂部）及び凹部にそれぞれ隙間を設けることにより、ライトガイド５０Ｑにおける各プリズムの頂角の角度調整を可能としている。以下、導光部材１００Ａの構成について詳述する。
【０１８３】
図３３は、上述した図３に対応する図であり、図中の左側に光線入射部１０１を、右側に再帰反射部１０６Ａをそれぞれ配置し、画像取り出し部１０３はほぼ一面に配置されている。図３と比較して分かるように、導光部材１００Ａは、再帰反射部１０６Ａにおけるプリズムの頂部からスリット状に伸びる第１の隙間１５１と、プリズムの凹部からスリット状に伸びる第２の隙間１５２と、を備える。ここで、プリズムの「頂部」とは、プリズムの頂角の部分である。また、プリズムの「凹部」とは、プリズム同士の隣接する部分であり、隣接する２つのプリズムの接続箇所である谷間の部分である。
【０１８４】
図３４に拡大して示すように、第１の隙間１５１及び第２の隙間１５２は、光線入射部１０１に向かって直線状に伸びるように形成されている。この例では、第１の隙間１５１及び第２の隙間１５２は、互いに平行に形成されている。
【０１８５】
図３４に示す例では、第１の隙間１５１の間隔ｔ１及び長さＬ１は、各隙間１５１間で同一であり、第２の隙間１５２の間隔ｔ２及び長さＬ２も、各隙間１５２間で同一である。また、この例では、第１の隙間１５１と第２の隙間１５２の根元部分は、ほぼ一直線上にある。
【０１８６】
他方、第１の隙間１５１の間隔ｔ１及び長さＬ１は、各隙間１５１間で異なる値とすることができる。同様に、第２の隙間１５２の間隔ｔ２及び長さＬ２は、各隙間１５２間で異なる値とすることができる。総じて、これら間隔ｔ１、ｔ２及び長さＬ１、Ｌ２は任意である。
【０１８７】
また、各隙間１５１，１５２の根元部分は、図３４に示すように円形になっており、かかる円の径は間隔ｔ１（ｔ２）の値よりも大きくなっている。かかる円形の根元部分は、後述のように、液体を充填させたときの液体溜まりとして機能する。各隙間１５１，１５２の根元部分の他の形状として、例えば正方形や六角形状とすることもできる。なお、液体を充填させるか否かにかかわらず、各隙間１５１，１５２の根元部分は、形状や径について任意のものを採択できる。
【０１８８】
このように、本実施形態では、各隙間１５１，１５２は、光線入射部１０１に向かって伸びる形状を有する。かかる形状とすることで、以下に説明するように、再帰反射部１０６Ａにおけるプリズムの頂角の角度調整を効果的に行うことが可能となる。
【０１８９】
各隙間１５１，１５２に部材を配置した状態を図３５に示す。この例では、各隙間１５１，１５２に導光部材１００Ａの屈折率と同一の屈折率の液体５００が充填される。このように、各隙間１５１，１５２の内部と周囲との屈折率を等しくすることで、導光部材１００Ａ内を画像光が進行して再帰反射部１０６Ａで反射される場合に、画像光の進行方向は、各隙間１５１，１５２を通過する際にも変動しない。反対に、各隙間１５１，１５２に配置される部材（この例では液体５００）の屈折率が導光板１００Ａの屈折率と異なる場合は、かかる部材により画像光が屈折してしまい、再帰反射される画像光の進行方向に影響が出るため、望ましくない。したがって、各隙間１５１，１５２に配置される部材の屈折率は、導光部材１００Ａの屈折率と可及的に等しいことが望ましい。
【０１９０】
導光部材１００Ａの各隙間１５１，１５２に液体５００が充填された場合に、導光部材１００Ａ内を進行する画像光の一部（以下は単に「光線」と称する。）が再帰反射部１０６Ａで反射される状態を図３６に示す。導光部材１００Ａ内に導光された光線は、再帰反射部１０６Ａに到達した際に、図３６中に実線矢印で示すように、第１及び第２傾斜面１０６ａ及び１０６ｂを反射する、すなわち三角プリズム面を２回反射することで、進行方向が反転される。ここで、第１傾斜面１０６ａ及び第２傾斜面１０６ｂのなす角であるプリズムの頂角θｐが９０度であれば、再帰反射部１０６Ａに到達した光線は、入射角度と同じ角度で進行方向が反転される。
【０１９１】
図３７は、導光部材１００Ａの再帰反射部１０６Ａのプリズムの頂角θｐが９０度よりも大きい場合（θｐ＝９０＋α度）の光路を示す図である。図中、破線矢印はプリズム頂角が９０度の場合、実線矢印はプリズム頂角が９０＋α度の場合の再帰反射光線をそれぞれ示す。プリズムの頂角が９０＋α度の場合、導光部材１００Ａ内を進行する光線は、再帰反射部１０６Ａに到達した際に、入射角度に対して２×α度だけ変動して再帰される。言い換えると、２×α度の方向ずれが生じる。ここで、αの値が大きいほど、再帰反射光線の方向ずれが大きくなるため、光学性能に影響が生じる。具体的には、再帰反射光線の方向ずれが生じると、光線取り出し部１０３から射出される光線の射出角度がずれるため、望ましくない。
【０１９２】
図３８は、導光部材１００Ａの再帰反射部１０６Ａのプリズムの頂角θｐが９０度よりも小さい場合（θｐ＝９０−α度）の光路を示す図である。図中、破線矢印はプリズム頂角が９０度の場合、実線矢印はプリズム頂角が９０−α度の場合の再帰反射光線をそれぞれ示す。プリズムの頂角が９０−α度の場合、導光部材１００Ａ内を進行する光線は、再帰反射部１０６Ａに到達した際に、入射角度に対して−２×α度だけ変動して再帰される。言い換えると、−２×α度の方向ずれが生じる。この場合も上述と同様に、αの値が大きいほど、再帰反射光線の方向ずれが大きくなり、光線取り出し部１０３から射出される光線の射出角度がずれるため、望ましくない。
【０１９３】
図３９は、導光部材１００Ａの再帰反射部１０６Ａのプリズムの頂角θｐが９０度より小さい場合、例えば８９．８°の場合に、かかるプリズム頂角を調整した後の光路を示す図であり、（ａ）は調整前の状態、（ｂ）は調整中の状態をそれぞれ示す。導光部材１００Ａは、図示のように、プリズム面すなわち第１傾斜面１０６ａ及び第２傾斜面１０６ｂに圧力をかけて、第１の隙間１５１におけるプリズム頂角側の寸法を狭くすることで、プリズム頂角を広げる（大きくする）ことができる。プリズム頂角が９０度よりも小さい場合は、第１の隙間１５１の大きさをこのように調整することでプリズム頂角を９０度にすることができる。言い換えると、第１の隙間１５１は、プリズム頂角を調整するために必要な構成である。
【０１９４】
プリズム頂角を調整する具体的な方法を、図４０を参照して説明する。上述のように、導光部材１００Ａは、複数のプリズムを備えた再帰反射部１０６Ａを有し、かかるプリズムの凸部及び凹部には隙間１５１，１５２が形成されている。また、再帰反射部１０６Ａにおけるプリズムの頂角の角度を調整（補正）するための複数の角度調整用部材４００が、再帰反射部１０６Ａのプリズムの凹部に対峙するように配置されている。
【０１９５】
角度調整用部材４００は、図４０に示すように、先端が丸みを帯びた棒状の部材であり、かかる先端部が再帰反射部１０６Ａにおける一つのプリズムの第１傾斜面１０６ａ及び隣接するプリズムの第２傾斜面１０６ｂに対峙する。各々の角度調整用部材４００の基端側はアクチュエータに連結されており、個々の角度調整用部材４００が独立して作動するようになっている。
【０１９６】
導光部材１００Ａ及び角度調整用部材４００は基台に載置され、再帰反射部１０６Ａと角度調整用部材４００との間に上述した液体５００が供給されることにより、プリズムの各隙間１５１、１５２に液体５００が充填されている。
【０１９７】
図４０に矢印で示すように、この状態から各々の角度調整用部材４００をプリズム側に移動することで、角度調整用部材４００の先端部が隣接する２つのプリズムにおける片方の主面（第１傾斜面１０６ａ及び第２傾斜面１０６ｂ）に押し当てられ、圧力が加わる。この結果、第１の隙間１５１におけるプリズム頂角側の寸法が狭められることで、プリズム頂角を広げる（大きくする）ことができる。また、このときに、第２の隙間１５２におけるプリズム頂角側の寸法が拡げられ、より小さい圧力でプリズム頂角を広げることに寄与する。
【０１９８】
この例では、再帰反射部１０６Ａにおける各々のプリズムの頂角がばらつきを持っている場合を仮定して、各々の角度調整部材４００が独立して動作する場合を説明した。他方、再帰反射部１０６Ａにおける各々のプリズムの頂角の誤差（９０°からのずれ）が各プリズム間で同一である場合には、各々の角度調整部材４００が一体に動作するようにしてもよい。
【０１９９】
（導光部材の実施例）
以下、図３３乃至図４０で上述した導光部材１００Ａのより具体的な実施例を説明する。以下の実施例では、共通条件として、ライトガイド（導光部材１００Ａ）の寸法を以下の数値に設定した。
・導光部材の厚み（肉厚）：1ｍｍ
・導光部材の長手方向の長さ：４６mm
・導光部材の幅：３３mm
上記のうち、導光部材の厚みは、図１及び図２中に加えた矢印Ｙ方向のサイズである。また、導光部材の幅は、図１乃至図３、及び図３３中に加えた矢印Ｘ方向のサイズである。
【０２００】
導光部材１００Ａの材質は、屈折率（Ｎｄ）＝１．５３の樹脂とした。また、各隙間１５１，１５２に充填する液体は、屈折率（Ｎｄ）＝１．５３の低粘度シリコンを使用した。
【０２０１】
導光部材１００Ａのプリズム頂角における第１の隙間１５１に関し、長さ（Ｌ１）を５mm〜１０mm、幅（ｔ１）を０．０４mm〜０．０８mmの範囲に設定した。プリズム凹部における第２の隙間１５２に関し、長さ（Ｌ２）をＬ１＞Ｌ２、幅（ｔ２）を０．０４mm〜０．０８mmの範囲に設定した。
【０２０２】
上述の条件に基づいて作られた導光部材１００Ａは、０〜０．２２９°の範囲でプリズム頂角を調整すなわち９０°に補正できることが分かった。したがって、再帰反射部１０６Ａのプリズム頂角が８９．８°〜９０°の範囲であれば、プリズム頂角を９０°に補正することが可能である。
【０２０３】
なお、隙間１５１，１５２に充填する部材は、低粘度シリコンのほか、熱硬化型樹脂を用いることもできる。この場合、プリズムの頂角を調整した後、加熱することでプリズムの頂角の角度を保つこともできる。他方、隙間１５１，１５２に低粘度シリコンを充填した場合、低粘度シリコンが充填された状態で再帰反射部１０６Ａに例えば接着剤あるいは熱硬化型樹脂を塗布してこれらを硬化させることで、プリズムの頂角の角度を保つことができる。
【０２０４】
図４１に、再帰反射部を構成する各プリズムの頂点の変形例を示す。図４１に示す再帰反射部１０６Ｂは、各プリズムの先端側に第３傾斜面１０６ｃと第４傾斜面１０６ｄが設けられることにより、プリズムの先端が窪んだ形状となっている。
【０２０５】
ここで、第３傾斜面１０６ｃは、第１傾斜面１０６ａ及び隙間１５１を構成する面と連続する面である。第３傾斜面１０６ｃは、第２傾斜面１０６ｂと平行であり、第１傾斜面１０６ａとのなす角は９０°である。第４傾斜面１０６ｄは、第２傾斜面１０６ｂ及び隙間１５１を構成する面と連続する面であり、第１傾斜面１０６ａと平行に形成され、第２傾斜面１０６ｂとのなす角は９０°である。
【０２０６】
このため、各プリズムの頂角に相当する部位は、図４１中に示す２つの仮想線が交わる箇所、すなわちプリズムの２つの主面である第１傾斜面１０６ａと第２傾斜面１０６ｂとの延長線（仮想線）が角度θpで交わる箇所になる。このようにプリズムの先端側が窪み形状である再帰反射部１０６Ｂを備える構成によれば、プリズムの頂角に相当する角度θpが９０度よりも小さい場合と大きい場合のいずれでも、かかる角度θpを９０度に補正することができる。
【０２０７】
すなわち、角度θpが９０度よりも小さい場合には、上述のように角度調整用部材４００をプリズムの対向する２つの主面に押しつけることによって、角度θpを９０度に補正することができる。他方、角度θpが９０度よりも大きい場合には、例えば図４１に示すような角度調整用部材４００Ａをプリズムの先端の窪み部分に押し付けて付勢すればよい。
【０２０８】
ここで、角度調整用部材４００Ａは、上述した角度調整用部材４００よりも細い径の棒状の部材であり、角度調整用部材４００と同様に先端が丸みを帯びた形状となっている。角度調整用部材４００Ａは、かかる先端部が再帰反射部１０６Ｂにおける一つのプリズムの第３傾斜面１０６ｃ及び第４傾斜面１０６ｄに対峙する。このような角度調整用部材４００Ａを第３傾斜面１０６ｃ及び第４傾斜面１０６ｄに押し付けて光線入射部１０１側に付勢することにより、隙間１５１におけるプリズム頂角側の寸法を広くすることで、角度θpを９０度に補正することができる。    
【０２０９】
上述した各例では、プリズムの頂部及び隣接する２つのプリズムの谷間の部分の両方に隙間（１５１，１５２）を設ける場合について説明した。さらなる変形例として、隣接するプリズムの谷間の部分には隙間を設けない構成とすることもあり得る。
【０２１０】
以上のように、図３３乃至図４１で説明した実施形態によれば、ライトガイド（導光部材）の再帰反射部における各プリズムの角度調整が可能になる。
【０２１１】
上述した各実施形態では、虚像観察者の左側に導光部材１００（１００Ａ）の光線入射部１０１を配置して、画像光を虚像観察者の左側から入射する例について説明した。かかる配置を左右逆にする場合、すなわち虚像観察者の右側に導光部材１００（１００Ａ）の光線入射部１０１を配置して、画像光を虚像観察者の右側から入射する場合も、上述と同一の効果が得られる。
【０２１２】
また、コリメート光学系３００の位置は各実施形態では虚像観察者の斜め前となっているが、一変形例として、例えば図４２及び図４３に示すように、観察者と同じ側にコリメート光学系３００が位置していても構わない。この場合には、図４２及び図４３に示すように、導光部材１００（１００Ａ）における光線入射部の構成を変更すればよい。図４２及び図４３に示す変形例では、導光部材１００（１００Ａ）の光線入射部１０１Ａは、導光部材１００（１００Ａ）の後面と鈍角をなすように形成されている。
【０２１３】
また、図１０〜図２５では虚像観察者の片方の目のみ図示したが、上述したライトガイド５０、５０Ａ〜５０Ｑは、図４２に示すように、射出される画像を両目で確認することができる。他方、図４３に示すように、ライトガイド５０、５０Ａ〜５０Ｐをより小型に形成して、単眼用のライトガイドとすることもできる。
【０２１４】
上述した実施形態では、ライトガイドを眼鏡型のＨＭＤに適用する場合を想定して説明した。上述したライトガイド５０、５０Ａ〜５０Ｑは、他の種類のＨＭＤにも適用可能であり、さらには、ヘッドアップディスプレイ（ＨＵＤ）にも適用できる。ライトガイド５０は、特に、微小デバイスにより光変調された光束によって形成される原画像を虚像表示するのに適している。
【０２１５】
以上のように、上述した実施形態によれば、肉薄で、４０度以上の広い視野角を確保でき、特に垂直方向の視野角を良好に確保できる虚像表示装置用のライトガイドを提供することができる。
【０２１６】
（虚像表示装置の実施例）
以下、虚像表示装置の具体的な実施例を説明する。以下の実施例１乃至実施例４では、共通条件として、焦点距離が７．５ｍｍのコリメータレンズを使用し、屈折率（Ｎｄ）＝１．５３のプラスチックでライトガイドを製作し、画像取り出し面の傾斜角度（θaまたはθc）＝３１．５度に設定した。
【０２１７】
また、共通条件として、ライトガイドの寸法を以下の数値に設定した。
・ライトガイドの厚み（肉厚） ：１mm
・ライトガイドの長手方向の長さ：４６mm
・ライトガイドの幅：３３mm
【０２１８】
上記のうち、ライトガイドの厚みは、図１及び図２中に加えた矢印Ｙ方向のサイズである。また、ライトガイドの幅は、図１乃至図３中に加えた矢印Ｘ方向のサイズである。
【０２１９】
さらに、各実施例のライトガイドは、射出される画像光に関し、アイレリーフ１５mm以上、アイボックス５mm以上の条件を満たし、水平視野角＝５０度、垂直視野角＝２７度が確保できる。
【０２２０】
虚像表示装置の実施例１は、上述した第１実施形態の画像取り出し部１０３を備えるライトガイド５０であり、図１０に示す構成とした。虚像表示装置の実施例２は、上述した第２実施形態の画像取り出し部１０３Ａを備えるライトガイド５０Ｄであり、図１４に示す構成とした。虚像表示装置の実施例３は、上述した第３実施形態の画像取り出し部１０３Ｂを備えるライトガイド５０Ｈであり、図１８に示す構成とした。虚像表示装置の実施例４は、上述した第４実施形態の画像取り出し部１０３Ｃを備えるライトガイド５０Ｌであり、図２２に示す構成とした。
【０２２１】
この結果、実施例１乃至４のいずれの虚像表示装置においても、ライトガイドの水平視野角＝５０度、垂直視野角＝２７度が確保された。
【０２２２】
以上のように、上述した実施形態及び実施例によれば、肉薄で、広い視野角を確保でき、特に垂直方向の視野角を良好に確保できる虚像表示装置用のライトガイドを提供することができる。
【符号の説明】
【０２２３】
１０  画像表示素子
３００  コリメート光学系
ＬＳ  光源
５０，５０Ａ〜５０Ｑ  ライトガイド
１００，１００Ａ  導光部材
１０１，１０１Ａ  光線入射部
１０２  全反射面
１０３，１０３Ａ，１０３Ｂ，１０３Ｃ  画像取り出し部
１０３ａ  第１面（画像取り出し面または対向面）
１０３ｂ  第２面
１０３ｃ  第３面（対向面または画像取り出し面）
１０３ｄ  第４面
１０４  光線射出部
１０６，１０６Ａ，１０６Ｂ  再帰反射部
１０６ａ  第１傾斜面
１０６ｂ  第２傾斜面
１４０  空気層
２００，２００Ａ〜２００Ｈ  光学部材
２１０  前面
【先行技術文献】
【特許文献】
【０２２４】
【特許文献１】特開２０１３−２１０６３３号
【特許文献２】特許５４２１２８５号
【特許文献３】特許第５７０３８７５号
【図１】
2017198962.tif 000004
【図２】
2017198962.tif 000005
【図３】
2017198962.tif 000006
【図４】
2017198962.tif 000007
【図５】
2017198962.tif 000008
【図６】
2017198962.tif 000009
【図７】
2017198962.tif 000010
【図８】
2017198962.tif 000011
【図９】
2017198962.tif 000012
【図１０】
2017198962.tif 000013
【図１１】
2017198962.tif 000014
【図１２】
2017198962.tif 000015
【図１３】
2017198962.tif 000016
【図１４】
2017198962.tif 000017
【図１５】
2017198962.tif 000018
【図１６】
2017198962.tif 000019
【図１７】
2017198962.tif 000020
【図１８】
2017198962.tif 000021
【図１９】
2017198962.tif 000022
【図２０】
2017198962.tif 000023
【図２１】
2017198962.tif 000024
【図２２】
2017198962.tif 000025
【図２３】
2017198962.tif 000026
【図２４】
2017198962.tif 000027
【図２５】
2017198962.tif 000028
【図２６】
2017198962.tif 000029
【図２７】
2017198962.tif 000030
【図２８】
2017198962.tif 000031
【図２９】
2017198962.tif 000032
【図３０】
2017198962.tif 000033
【図３１】
2017198962.tif 000034
【図３２】
2017198962.tif 000035
【図３３】
2017198962.tif 000036
【図３４】
2017198962.tif 000037
【図３５】
2017198962.tif 000038
【図３６】
2017198962.tif 000039
【図３７】
2017198962.tif 000040
【図３８】
2017198962.tif 000041
【図３９】
2017198962.tif 000042
【図４０】
2017198962.tif 000043
【図４１】
2017198962.tif 000044
【図４２】
2017198962.tif 000045
【図４３】
2017198962.tif 000046
【図４４】
2017198962.tif 000047
【図４５】
2017198962.tif 000048
【図４６】
2017198962.tif 000049
【図４７】
2017198962.tif 000050